(57)【要約】【課題】コンテンツ作成装置において、ユーザの空き時間によりマッチしたコンテンツを作成することができるようにする。【解決手段】コンテンツ作成装置１００は、各元コンテンツについて、ジャンル毎のユーザの視聴完了指標情報に従って各ユーザが視聴に要する時間を予測する。そして、当該予測された時間に従って、新コンテンツの再生が予定される時間分の元コンテンツを組み合せることにより、新コンテンツを作成する。【選択図】図３
2013236218.tif 000002
【特許請求の範囲】
【請求項１】
特定のユーザが視聴する新しいコンテンツを作成するコンテンツ作成装置であって、
前記新しいコンテンツの再生が行われるべき時間を特定する情報である時間情報を抽出するための時間情報抽出手段と、
前記特定のユーザについての、コンテンツの分野毎の視聴の速さについての指標である視聴完了指標情報を抽出するための視聴完了指標情報抽出手段と、
前記新しいコンテンツに少なくともその一部を配置される元コンテンツについての、分野を特定する第１の情報と、標準的な再生時間を特定するための第２の情報とを取得するための元コンテンツ情報取得手段と、
前記新しいコンテンツにおける元コンテンツの分野ごとの時間配分を特定する情報であるユーザ嗜好情報を抽出するための嗜好情報抽出手段と、
前記第１の情報と前記第２の情報と前記視聴完了指標情報とに基づいて前記特定のユーザが各元コンテンツの再生に要する所要時間を算出することにより、前記特定のユーザが前記時間情報によって特定される時間内で前記新しいコンテンツの再生を完了させることができるように、１以上の元コンテンツの少なくとも一部を前記時間配分に従って前記新しいコンテンツに配置するためのコンテンツ編集手段とを備えることを特徴とするコンテンツ作成装置。
【請求項２】
前記時間情報における前記特定のユーザの行動内容を表す情報である行動情報を抽出するための行動情報抽出手段をさらに備え、
前記コンテンツ編集手段は、前記行動情報から前記時間情報によって特定される時間内における前記特定のユーザの行動内容に応じて、前記新しいコンテンツに配置する元コンテンツを選択することを特徴とする請求項１に記載のコンテンツ作成装置。
【請求項３】
前記時間情報は、前記特定のユーザのスケジュール表から前記コンテンツの再生を行う時間帯が抽出されて指定されることを特徴とする請求項１または請求項２に記載のコンテンツ作成装置。
【請求項４】
前記視聴の速さは、コンテンツの視聴に要する時間およびコンテンツの内容を理解するのに要する時間の少なくとも一方に基づくものであることを特徴とする請求項１〜請求項３のいずれか１項に記載のコンテンツ作成装置。
【請求項５】
前記視聴完了指標情報は、コンテンツの分野毎に、前記特定のユーザが単位時間あたりに読む文字数、単位時間あたりに読むページ数、および、単位ページあたりにページをめくる時間の少なくとも１つの情報を含むことを特徴とする請求項１〜請求項４のいずれか１項に記載のコンテンツ作成装置。
【請求項６】
前記視聴完了指標情報は、前記分野毎に、音声データまたは動画データの再生速度情報を含むことを特徴とする請求項１〜請求項４のいずれか１項に記載のコンテンツ作成装置。
【請求項７】
コンテンツの分野毎に、前記特定のユーザが、単位時間あたりに読む文字数、単位時間あたりに読むページ数、単位ページあたりにページをめくる時間、および、音声データまたは動画データの再生速度情報の少なくとも１つが、レベル情報としてテーブルで管理されており、
前記視聴完了指標情報は、コンテンツの分野毎の前記レベル情報を保持していることを特徴とする請求項１〜請求項６のいずれか１項に記載のコンテンツ作成装置。
【請求項８】
前記視聴完了指標情報は、前記時間情報毎に指定された変換規則に従って変換されることを特徴とする請求項１〜請求項７のいずれか１項に記載のコンテンツ作成装置。
【請求項９】
前記視聴完了指標情報は、分野と前記時間情報の組合せ毎に指定された変換規則に従って変換されることを特徴とする請求項１〜請求項８のいずれか１項に記載のコンテンツ作成装置。
【請求項１０】
１または複数のコンテンツに含まれる内容毎の優先度を算出するための優先度算出手段を備え、
前記コンテンツ編集手段は、前記優先度算出手段によって算出された優先度の高い順に元コンテンツに含まれる内容を抽出して前記新しいコンテンツを編集することを特徴とする請求項１〜請求項９のいずれか１項に記載のコンテンツ作成装置。
【請求項１１】
前記優先度算出手段は、前記時間情報毎に１または複数のコンテンツに含まれる内容毎の優先度を算出することを特徴とする請求項１０に記載のコンテンツ作成装置。
【請求項１２】
前記時間情報における前記特定のユーザの行動内容を表す情報である行動情報を抽出するための行動情報抽出手段をさらに備え、
前記優先度算出手段は、前記時間情報毎、または、前記行動情報毎の少なくとも一方毎に、１または複数のコンテンツに含まれる内容毎の優先度を算出することを特徴とする請求項１１に記載のコンテンツ作成装置。
【請求項１３】
前記コンテンツ編集手段は、１または複数の元コンテンツから当該元コンテンツに含まれる内容を抽出して、前記新しいコンテンツを作成することを特徴とする請求項１〜請求項１２のいずれか１項に記載のコンテンツ作成装置。
【請求項１４】
前記新しいコンテンツの、前記特定のユーザによって再生された際の再生状況に従って、前記視聴完了指標情報を更新するための視聴完了指標情報更新手段をさらに備えることを特徴とする請求項１〜請求項１３のいずれか１項に記載のコンテンツ作成装置。
【請求項１５】
請求項１〜請求項１４のいずれか１項に記載のコンテンツ作成装置と、
前記新しいコンテンツを前記特定のユーザに配信するコンテンツ配信手段とを備えることを特徴とする、コンテンツ配信サーバ。
【請求項１６】
前記コンテンツ配信手段によって配信される前記新しいコンテンツの価格を決定するための価格決定手段を備えた、請求項１５に記載のコンテンツ配信サーバ。
【請求項１７】
前記コンテンツ編集手段は、前記新しいコンテンツにおける元コンテンツの配置を示すコンテンツプレイリストを作成する、請求項１〜請求項１４のいずれかに記載のコンテンツ作成装置。
【請求項１８】
前記コンテンツプレイリストは、前記新しいコンテンツ内に配置された、元コンテンツの部分を特定する情報を含む、請求項１７に記載のコンテンツ作成装置。
【請求項１９】
請求項１７または請求項１８に記載のコンテンツ作成装置と、
前記新しいコンテンツまたは前記コンテンツプレイリストの少なくとも一方を前記特定のユーザに配信するコンテンツ配信手段を備えることを特徴とする、コンテンツ配信サーバ。
【請求項２０】
前記コンテンツ配信手段によって配信された前記コンテンツおよび前記コンテンツプレイリストの少なくとも一方が、前記時間情報によって特定される時間内に前記特定のユーザによって再生された際の状況を抽出するコンテンツ再生状況抽出手段をさらに備えることを特徴とする、請求項１９に記載のコンテンツ配信サーバ。
【請求項２１】
前記コンテンツ配信手段によって配信される前記新しいコンテンツの価格を決定するための価格決定手段を備え、
前記価格決定手段は、前記新しいコンテンツまたは前記コンテンツプレイリストを作成する際に使用した元の１または複数の元コンテンツの寄与度に応じて価格を決定することを特徴とする請求項１９または請求項２０に記載のコンテンツ配信サーバ。
【請求項２２】
特定のユーザが視聴する新しいコンテンツを作成するコンテンツ作成装置によって実行されるコンテンツ作成方法であって、
前記新しいコンテンツの再生が行われるべき時間を特定する情報である時間情報を抽出するステップと、
前記特定のユーザについての、コンテンツの分野毎の視聴の速さについての指標である視聴完了指標情報を抽出するステップと、
前記新しいコンテンツに少なくともその一部を配置される元コンテンツについての、分野を特定する第１の情報と、標準的な再生時間を特定するための第２の情報とを取得するステップと、
前記新しいコンテンツにおける元コンテンツの分野ごとの時間配分を特定する情報であるユーザ嗜好情報を抽出するステップと、
前記第１の情報と前記第２の情報と前記視聴完了指標情報とに基づいて前記特定のユーザが各元コンテンツの再生に要する所要時間を算出することにより、前記特定のユーザが前記時間情報によって特定される時間内で前記新しいコンテンツの再生を完了させることができるように、１以上の元コンテンツの少なくとも一部を前記時間配分に従って前記新しいコンテンツに配置するステップとを備えることを特徴とするコンテンツ作成方法。
【請求項２３】
特定のユーザが視聴する新しいコンテンツを作成するコンテンツ作成装置のコンピュータにおいて実行されるコンテンツ作成プログラムであって、
前記コンピュータを、請求項１〜請求項１４、請求項１７、または、請求項１８に記載のコンテンツ作成装置として機能させるための、コンテンツ作成プログラム。
【請求項２４】
請求項２３に記載のコンテンツ作成プログラムを記録したコンピュータ読取可能な記録媒体。
【発明の詳細な説明】
【技術分野】
【０００１】
本発明は、ユーザごとに最適な量のコンテンツを作成するコンテンツ作成装置、コンテンツ配信サーバ、コンテンツ作成方法、コンテンツ作成プログラム、および、これを記録したコンピュータ読み取り可能な記録媒体に関する。
【背景技術】
【０００２】
近年、電子書籍が広がりつつある。スマートフォンやタブレット端末などの普及により、それらの端末上で新聞や雑誌、小説などの電子書籍を購入し、当該端末で購入した電子書籍を読むことができるようになってきている。また、この電子書籍はテキスト系のコンテンツに限らず、音声や動画も含まれたマルチメディアコンテンツとして作られるようになってきている。
【０００３】
なお、現在のコンテンツの配信技術では、配信されるコンテンツは既に構成が確定されている。このため、或るコンテンツが購入等されると、当該コンテンツを購入等した全ユーザに同じ構成のコンテンツが配布されていた。
【０００４】
このようなコンテンツの配信に関し、従来から種々の技術が提案されている。
たとえば、特許文献１（特開２００２−１２３４６３号公報）には、受信者のプロフィール・プリファレンス情報に応じて、ユーザ毎の特注新聞を作って提供するシステムが開示されている。当該システムでは、受信者はプロフィール・プリファレンス情報として、希望するトピック、新聞レイアウト、配信スケジュール、配信先などの情報を入力する。プロフィール・プリファレンス情報に従って、関連するトピックを抽出し、その優先度に応じて、受信者が選んだ新聞のレイアウトのどこに配置するのかを決定する。これにより、受信者の希望するトピックを受信者の好みのレイアウトで配置された新聞を受信者毎に作成することができる。
【０００５】
一方、電子書籍をいつ読むか、といった電子書籍コンテンツを再生するタイミングはユーザ次第である。したがって、ユーザの自由な時間に電子書籍を読もうとした場合、ユーザ自ら所望の電子書籍コンテンツを探してきて再生する必要がある。
【０００６】
なお、特許文献２（特開２００６−８６６０７号公報）では、視聴したい番組がない時間帯に、視聴したい番組の空き時間の長さに応じた再生時間になるように、蓄積コンテンツを編集して再生する映像再生装置が開示されている。当該映像再生装置では、ユーザの空き時間に収まるように、蓄積コンテンツの中から１以上のコンテンツを探してくる。また、コンテンツの再生速度を調整することで、ユーザの空き時間に収まるように調整したり、静止画をスライドショーで挿入することで、ユーザの空き時間を満たしたりすることができる。これにより、ユーザの自由な時間に収まる様な電子書籍コンテンツを探してきて、ユーザに提示することができる。
【先行技術文献】
【特許文献】
【０００７】
【特許文献１】特開２００２−１２３４６３号公報
【特許文献２】特開２００６−８６６０７号公報
【発明の概要】
【発明が解決しようとする課題】
【０００８】
しかしながら、特許技術１に記載の技術では、ユーザのスケジュールに合うように、特注新聞などの電子書籍コンテンツを作成するものではない。たとえば、自由な時間が３０分あるので、３０分で読める特注新聞を作成して配信してくれる、というものではない。
【０００９】
一方、特許技術２に記載の技術では、ユーザの空き時間の長さが考慮されて、コンテンツが作成される。
【００１０】
しかしながら、映像再生装置が空き時間の長さに基づいて作成したコンテンツであっても、ユーザによっては当該空き時間では読み切れなかったり、理解しきれない場合もあった。
【００１１】
本発明は、かかる実情に鑑み考え出されたものであり、その目的は、コンテンツ作成装置において、ユーザの空き時間によりマッチしたコンテンツを作成することができるようにすることである。
【課題を解決するための手段】
【００１２】
本発明に従ったコンテンツ作成装置は、特定のユーザが視聴する新しいコンテンツを作成するコンテンツ作成装置であって、新しいコンテンツの再生が行われるべき時間を特定する情報である時間情報を抽出するための時間情報抽出手段と、特定のユーザについての、コンテンツの分野毎の視聴の速さについての指標である視聴完了指標情報を抽出するための視聴完了指標情報抽出手段と、新しいコンテンツに少なくともその一部を配置される元コンテンツについての、分野を特定する第１の情報と、標準的な再生時間を特定するための第２の情報とを取得するための元コンテンツ情報取得手段と、新しいコンテンツにおける元コンテンツの分野ごとの時間配分を特定する情報であるユーザ嗜好情報を抽出するための嗜好情報抽出手段と、第１の情報と第２の情報と視聴完了指標情報とに基づいて特定のユーザが各元コンテンツの再生に要する所要時間を算出することにより、特定のユーザが時間情報によって特定される時間内で新しいコンテンツの再生を完了させることができるように、１以上の元コンテンツの少なくとも一部を時間配分に従って新しいコンテンツに配置するためのコンテンツ編集手段とを備えることを特徴とする。
【００１３】
好ましくは、時間情報における特定のユーザの行動内容を表す情報である行動情報を抽出するための行動情報抽出手段をさらに備え、コンテンツ編集手段は、行動情報から時間情報によって特定される時間内における特定のユーザの行動内容に応じて、新しいコンテンツに配置する元コンテンツを選択する。
【００１４】
好ましくは、時間情報は、特定のユーザのスケジュール表からコンテンツの再生を行う時間帯が抽出されて指定される。
【００１５】
好ましくは、視聴の速さは、コンテンツの視聴に要する時間およびコンテンツの内容を理解するのに要する時間の少なくとも一方に基づくものである。
【００１６】
好ましくは、視聴完了指標情報は、コンテンツの分野毎に、特定のユーザが単位時間あたりに読む文字数、単位時間あたりに読むページ数、および、単位ページあたりにページをめくる時間の少なくとも１つの情報を含む。
【００１７】
好ましくは、視聴完了指標情報は、分野毎に、音声データまたは動画データの再生速度情報を含む。
【００１８】
好ましくは、コンテンツの分野毎に、特定のユーザが、単位時間あたりに読む文字数、単位時間あたりに読むページ数、単位ページあたりにページをめくる時間、および、音声データまたは動画データの再生速度情報の少なくとも１つが、レベル情報としてテーブルで管理されており、視聴完了指標情報は、コンテンツの分野毎のレベル情報を保持している。
【００１９】
好ましくは、視聴完了指標情報は、時間情報毎に指定された変換規則に従って変換される。
【００２０】
好ましくは、視聴完了指標情報は、分野と時間情報の組合せ毎に指定された変換規則に従って変換される。
【００２１】
好ましくは、１または複数のコンテンツに含まれる内容毎の優先度を算出するための優先度算出手段を備え、コンテンツ編集手段は、優先度算出手段によって算出された優先度の高い順に元コンテンツに含まれる内容を抽出して新しいコンテンツを編集する。
【００２２】
好ましくは、優先度算出手段は、時間情報毎に１または複数のコンテンツに含まれる内容毎の優先度を算出する。
【００２３】
好ましくは、時間情報における特定のユーザの行動内容を表す情報である行動情報を抽出するための行動情報抽出手段をさらに備え、優先度算出手段は、時間情報毎、または、行動情報毎の少なくとも一方毎に、１または複数のコンテンツに含まれる内容毎の優先度を算出する。
【００２４】
好ましくは、コンテンツ編集手段は、１または複数の元コンテンツから当該元コンテンツに含まれる内容を抽出して、新しいコンテンツを作成する。
【００２５】
好ましくは、新しいコンテンツの、特定のユーザによって再生された際の再生状況に従って、視聴完了指標情報を更新するための視聴完了指標情報更新手段をさらに備える。
【００２６】
本発明の或る局面に従ったコンテンツ配信サーバは、上記したようなコンテンツ作成装置と、新しいコンテンツを特定のユーザに配信するコンテンツ配信手段とを備えることを特徴とする。
【００２７】
本発明の別の局面に従ったコンテンツ配信サーバは、コンテンツ配信手段によって配信される新しいコンテンツの価格を決定するための価格決定手段を備えることを特徴とする。
【００２８】
本発明に従ったコンテンツ作成装置において、さらに好ましくは、コンテンツ編集手段は、新しいコンテンツにおける元コンテンツの配置を示すコンテンツプレイリストを作成する。
【００２９】
好ましくは、コンテンツプレイリストは、新しいコンテンツ内に配置された、元コンテンツの部分を特定する情報を含む。
【００３０】
本発明の他の局面に従ったコンテンツ配信サーバは、上記したようなコンテンツ作成装置と、新しいコンテンツまたはコンテンツプレイリストの少なくとも一方を特定のユーザに配信するコンテンツ配信手段を備えることを特徴とする。
【００３１】
好ましくは、コンテンツ配信手段によって配信されたコンテンツおよびコンテンツプレイリストの少なくとも一方が、時間情報によって特定される時間内に特定のユーザによって再生された際の状況を抽出するコンテンツ再生状況抽出手段をさらに備えることを特徴とする。
【００３２】
好ましくは、コンテンツ配信手段によって配信される新しいコンテンツの価格を決定するための価格決定手段を備え、価格決定手段は、新しいコンテンツまたはコンテンツプレイリストを作成する際に使用した元の１または複数の元コンテンツの寄与度に応じて価格を決定する。
【００３３】
本発明に従ったコンテンツ作成方法は、特定のユーザが視聴する新しいコンテンツを作成するコンテンツ作成装置によって実行されるコンテンツ作成方法であって、新しいコンテンツの再生が行われるべき時間を特定する情報である時間情報を抽出するステップと、特定のユーザについての、コンテンツの分野毎の視聴の速さについての指標である視聴完了指標情報を抽出するステップと、新しいコンテンツに少なくともその一部を配置される元コンテンツについての、分野を特定する第１の情報と、標準的な再生時間を特定するための第２の情報とを取得するステップと、新しいコンテンツにおける元コンテンツの分野ごとの時間配分を特定する情報であるユーザ嗜好情報を抽出するステップと、第１の情報と第２の情報と視聴完了指標情報とに基づいて特定のユーザが各元コンテンツの再生に要する所要時間を算出することにより、特定のユーザが時間情報によって特定される時間内で新しいコンテンツの再生を完了させることができるように、１以上の元コンテンツの少なくとも一部を時間配分に従って新しいコンテンツに配置するステップとを備えることを特徴とする。
【００３４】
本発明に従ったコンテンツ作成プログラムは、特定のユーザが視聴する新しいコンテンツを作成するコンテンツ作成装置のコンピュータにおいて実行されるコンテンツ作成プログラムであって、コンピュータを、上記したようなコンテンツ作成装置として機能させる。
【００３５】
本発明に従った記録媒体は、上記したようなコンテンツ作成プログラムを記録したコンピュータ読み取り可能な記録媒体である。
【発明の効果】
【００３６】
本発明によれば、ユーザが、時間情報で特定される時間に再生させた場合、時間を余すことなくかつ時間を不足することのない、新コンテンツを作成することができる。
【図面の簡単な説明】
【００３７】
【図１】本発明のコンテンツ作成装置およびコンテンツ配信サーバを含むコンテンツ配信システムの構成の概要を説明するための図である。
【図２】本実施の形態においてユーザごとに作成されるコンテンツの概要を説明するための図である。
【図３】本実施の形態に係るコンテンツ配信サーバの機能的構成の一例を示すブロック図である。
【図４】本実施の形態に係るコンテンツ作成装置の機能的構成を示すブロック図である。
【図５】本実施の形態に係るコンテンツ作成装置を実現するためのコンピュータシステムの内部構成の一例を示す図である。
【図６】本実施の形態に係るコンテンツ作成装置の主要動作の概念を示すフローチャートである。
【図７】図６に示されたステップＳ６で実行されるコンテンツ編集処理のサブルーチンのフローチャートである。
【図８】本実施の形態に係るコンテンツ配信システムの実施例の内容を説明するための図である。
【図９】本実施の形態に係るコンテンツ配信システムの実施例の内容を説明するための図である。
【図１０】本実施の形態に係るコンテンツ配信システムの実施例の内容を説明するための図である。
【図１１】本実施の形態に係るコンテンツ配信システムの実施例の内容を説明するための図である。
【図１２】本実施の形態に係るコンテンツ配信システムの実施例の内容を説明するための図である。
【図１３】本実施の形態に係るコンテンツ配信システムの実施例の内容を説明するための図である。
【図１４】本実施の形態に係るコンテンツ配信システムの実施例の内容を説明するための図である。
【図１５】本実施の形態に係るコンテンツ配信システムの実施例の内容を説明するための図である。
【図１６】本実施の形態に係るコンテンツ配信システムの実施例の内容を説明するための図である。
【図１７】本実施の形態に係るコンテンツ配信システムの実施例の内容を説明するための図である。
【図１８】本実施の形態に係るコンテンツ配信システムの実施例の内容を説明するための図である。
【図１９】本実施の形態に係るコンテンツ配信システムの実施例の内容を説明するための図である。
【図２０】本実施の形態に係るコンテンツ配信システムの実施例の内容を説明するための図である。
【図２１】本実施の形態に係るコンテンツ配信システムの実施例の内容を説明するための図である。
【図２２】本実施の形態に係るコンテンツ配信システムの実施例の内容を説明するための図である。
【発明を実施するための形態】
【００３８】
以下、図面を参照しつつ本発明の一実施の形態について説明する。なお、以下の説明に用いる図面では、同一の部品に同一の符号を付してある。それらの名称および機能も同一である。従って、それらについての詳細な説明は繰り返さない。
【００３９】
＜コンテンツ配信システムの概要＞
図１は、本発明のコンテンツ作成装置およびコンテンツ配信サーバを含むコンテンツ配信システムの構成の概要を説明するための図である。
【００４０】
図１を参照して、コンテンツ配信システムにおいて、コンテンツ配信サーバ２００は、コンテンツを作成し、作成したコンテンツをユーザが所有する外部装置１６に送信する。
【００４１】
コンテンツ配信サーバ２００には、個々のユーザ（図１中のユーザＵ１〜Ｕ３）のそれぞれからユーザについての情報が蓄積されている。当該情報は、ユーザの個人情報、嗜好情報、行動履歴、スケジュール等を含む。
【００４２】
そして、コンテンツ配信サーバ２００は、これらの情報の少なくとも一部に基づいて、各ユーザに適した態様で、コンテンツを作成し、当該ユーザが所有する外部装置１６に当該コンテンツを送信する。
【００４３】
外部装置１６は、電子書籍端末等、コンテンツを再生することができる装置によって実現される場合もあれば、ユーザが所有する電子書籍端末等の端末装置と通信可能なサーバによって実現される。外部装置１６が後者のサーバによって構成される場合、ユーザは、当該サーバから、コンテンツ配信サーバ２００から送信されたコンテンツをダウンロードして、自身が所持する端末装置で当該コンテンツを再生させる。
【００４４】
＜作成されるコンテンツの概要＞
図２は、本実施の形態においてユーザごとに作成されるコンテンツの概要を説明するための図である。
【００４５】
図２には、ユーザのスケジュールに基づいて作成されたコンテンツが示されている。具体的には、図２には或るユーザ（図２中の「Ａさん」）のスケジュールが示されている。
【００４６】
当該スケジュールでは、７時１５分から８時１５分が「通勤時間」、８時３０分から１２時００分までが「仕事」、１２時００分から１３時００分までが「昼休み」、１３時００分から１７時００分までが「仕事」、１７時１５分から１８時１５分までが「帰宅時間」、１８時１５分から２３時００分までが「夕食と風呂と団らん」、そして、２３時から２３時３０分までが「寝る前の自由時間」と規定されている。
【００４７】
このスケジュールのうち、「通勤時間」と「昼休み」と「帰宅時間」と「寝る前の自由時間」を規定された時間帯については、当該時間帯の詳細な行動内容を示す「行動情報」が規定されている。
【００４８】
「通勤時間」については、７時１５分から７時３０分までが「徒歩」、７時３０分から８時００分までが「電車通勤」、８時００から８時１５分が「徒歩」と規定されている。
【００４９】
「昼休み」については、１２時００分から１２時３０分までが「食事」、１２時３０分から１３時００分までが「フリー」と規定されている。
【００５０】
「帰宅時間」については、１７時１５分から１７時３０分までが「徒歩」、１７時３０分から１８時００分までが「電車通勤」、１８時００分から１８時１５分までが「徒歩」と規定されている。
【００５１】
「寝る前の自由時間」については、２３時００分から２３時３０分までが「フリー」と規定されている。
【００５２】
そして、このようなスケジュールに基づいて、コンテンツ配信サーバ２００から上記或るユーザの外部装置１６には、「通勤時間」に対応したコンテンツＡと、「昼休み」に対応したコンテンツＢと、「帰宅時間」に対応したコンテンツＣと、「寝る前の自由時間」に対応したコンテンツＤが送信される。
【００５３】
コンテンツＡ〜Ｄは、それぞれ、対応する時間帯にユーザが視聴を完了できるように作成されたものである。このようなコンテンツは、１種類の元のコンテンツをそのまま、または、加工されることによって作成されたものである場合もあれば、２種類以上の元のコンテンツを組み合わされて作成されたものである場合もある。
【００５４】
コンテンツＡは、「通勤時間」に対応した、１時間（６０分間）の再生時間を有するコンテンツである。コンテンツＡにおいて、冒頭の１５分間（０：００〜０：１５の部分）が７時１５分から７時３０分までの「徒歩」に対応し、次の３０分間（０：１５〜０：４５の部分）が７時３０分から８時００分までの「電車通勤」に対応し、次の１５分間（０：４５〜１：００の部分）が８時００から８時１５分までの「徒歩」に対応している。
【００５５】
コンテンツＢは、「昼休み」のうち、１２時３０分から１３時００分までの「フリー」に対応した、３０分間の再生時間を有するコンテンツである。
【００５６】
コンテンツＣは、「帰宅時間」に対応した、１時間（６０分間）の再生時間を有するコンテンツである。コンテンツＣにおいて、冒頭の１５分間（０：００〜０：１５の部分）が１７時１５分から１７時３０分までの「徒歩」に対応し、次の３０分間（０：１５〜０：４５の部分）が１７時３０分から１８時００分までの「電車通勤」に対応し、次の１５分間（０：４５〜１：００の部分）が１８時００から１８時１５分までの「徒歩」に対応している。
【００５７】
コンテンツＤは、「寝る前の自由時間」の２３時００分から２３時３０分の「フリー」に対応した、３０分間の再生時間を有するコンテンツである。
【００５８】
コンテンツＡ〜Ｄは、それぞれの時間帯について規定されたユーザの嗜好情報に基づいて、構成される。嗜好情報については、後述する。
【００５９】
＜コンテンツ配信サーバの機能的構成＞
図３は、コンテンツ配信サーバ２００の機能的構成の一例を示すブロック図である。
【００６０】
図３に示すように、コンテンツ配信サーバ２００は、価格情報入力部２０１、価格情報蓄積部２０２、コンテンツ蓄積部２０３、価格決定部２０４、コンテンツ配信部２０５、コンテンツ再生状況情報抽出部２０６、および、コンテンツ作成装置１００を備えている。
【００６１】
コンテンツ配信サーバ２００は、たとえば汎用のコンピュータ等の情報処理装置によって実現される。そして、価格情報入力部２０１、価格決定部２０４、コンテンツ配信部２０５、および、コンテンツ再生状況情報抽出部２０６は、ＣＰＵ（central  processing  unit）等のプロセッサが所定のプログラムを実行することによって実現される。価格情報蓄積部２０２、および、コンテンツ蓄積部２０３は、当該プロセッサによる情報の書き込みおよび読み出しが可能な記憶装置によって実現される。コンテンツ作成装置１００も、たとえば、汎用の情報処理装置によって実現される。コンテンツ作成装置１００とコンテンツ配信サーバ２００のそれ以外の部分とは、同一の情報処理装置によって実現されてもよいし、異なる情報処理装置によって実現されてもよい。また、コンテンツ配信サーバ２００のコンテンツ作成装置以外の部分も、２以上の情報処理装置によって実現されてもよい。
【００６２】
コンテンツ作成装置１００は、後述するように、元コンテンツ（後述する元コンテンツ１４）を加工等することにより、コンテンツを作成する。
【００６３】
価格情報入力部２０１には、価格情報２０が入力される。価格情報２０は、たとえば無線もしくは有線の通信経路を介して、または、コンテンツ配信サーバ２００に装着された記憶媒体を介して、価格情報入力部２０１に入力される。本明細書では、価格情報２０は、元コンテンツ１４の価格を特定するための情報の全てを意味する。
【００６４】
価格情報入力部２０１は、たとえば無線もしくは有線を介して提供される価格情報２０を受信するインターフェース、または、上記した記憶媒体との間でデータをやり取りするためのインターフェースを備えている。
【００６５】
価格情報蓄積部２０２は、価格情報入力部２０１にて入力された価格情報を、蓄積・管理する。
【００６６】
コンテンツ蓄積部２０３は、コンテンツ作成装置１００において作成され、当該コンテンツ作成装置１００から（後述する出力部１１１を介して）出力されたコンテンツを、蓄積・管理する。
【００６７】
価格決定部２０４は、価格情報蓄積部２０２にて蓄積されている価格情報を利用して、コンテンツ蓄積部２０３に蓄積されているコンテンツの配信価格を決定する。配信価格を決定する方法としては、あらゆる方法が適用され得る。たとえば、当該コンテンツを作成する際に引用した元コンテンツの価格情報から、当該コンテンツを作成する際に引用した割合（新コンテンツにおける寄与度）を基に配信価格を決定するものであっても構わない。また、元コンテンツに含まれる内容毎の価格を基に算出するものであっても構わない。
【００６８】
コンテンツ配信部２０５は、コンテンツ蓄積部２０３に蓄積されているコンテンツを価格決定部２０４にて決定された配信価格をもって、外部装置１６にコンテンツを送信する。
【００６９】
「配信価格をもって送信」とは、たとえば、別途設けられる課金サーバにおいて、当該コンテンツについての配信価格の、送信先の外部装置１６のユーザに対する課金が完了した旨の情報の受信を条件として、送信することを意味する。
【００７０】
コンテンツ再生状況情報抽出部２０６は、たとえば無線もしくは有線を介して提供されるコンテンツの再生状況に関する情報を受信するインターフェースを備えている。コンテンツ配信部２０５にて外部装置１６に出力されたコンテンツが、ユーザによって（当該外部装置１６において）再生された際の状況を示す情報である、コンテンツの再生状況に関する情報が入力される。当該情報の内容については、後述する。
【００７１】
＜コンテンツ作成装置の機能的構成＞
図４は、本実施の形態に係るコンテンツ作成装置１００の機能的構成を示すブロック図である。
【００７２】
図４に示すように、コンテンツ作成装置１００は、時間情報抽出部１０１、時間情報蓄積部１０２、行動情報抽出部１０３、行動情報蓄積部１０４、嗜好情報抽出部１０５、嗜好情報蓄積部１０６、視聴完了指標情報抽出部１０７、視聴完了指標情報蓄積部１０８、元コンテンツ入力部１０９、コンテンツ編集部１１０、出力部１１１、コンテンツ再生状況情報入力部１１２、視聴完了指標情報更新部１１３、優先度算出部１１４、および、変換部１１５を備えている。
【００７３】
上記したようにコンテンツ作成装置１００は、たとえば汎用の情報処理装置によって実現される。当該情報処理装置は、プロセッサと、プロセッサが情報の読み書きを行なうことができる記憶装置および／または情報処理装置に対して着脱可能な記憶媒体との間で上記プロセッサが情報をやり取りするためのインターフェースとを含む。また、当該インターフェースは、プロセッサがネットワークを介して記憶装置と通信するためのものであってもよい。
【００７４】
時間情報抽出部１０１、行動情報抽出部１０３、嗜好情報抽出部１０５、視聴完了指標情報抽出部１０７、元コンテンツ入力部１０９、コンテンツ編集部１１０、出力部１１１、コンテンツ再生状況情報入力部１１２、視聴完了指標情報更新部１１３、優先度算出部１１４、および、変換部１１５は、たとえば上記プロセッサが上記記憶装置もしくは記憶媒体に記憶されたプログラムを実行することによって実現される。時間情報蓄積部１０２、行動情報蓄積部１０４、嗜好情報蓄積部１０６、および、視聴完了指標情報蓄積部１０８は、上記した記憶媒体および／または記憶媒体によって実現される。
【００７５】
時間情報抽出部１０１には、時間情報１０が入力される。時間情報１０は、たとえば無線もしくは有線を介して提供されるものや記憶媒体等に記録されたものを含む。時間情報１０は、これから作成するコンテンツをユーザが視聴する時間に関する情報の全てを意味する。たとえば、「１２：３０〜１３：００の３０分間」にユーザが読むコンテンツを作成する場合に、時間情報は、これらの情報（「１２：３０〜１３：００の３０分間」に含まれる時間情報および時刻情報）を意味する。
【００７６】
時間情報１０は、これから作成されるコンテンツ（後述する「新コンテンツ」）が再生されるべき時間の長さを特定する情報を含めば、どのような形態の情報であってもかまわない。
【００７７】
時間情報１０は、ユーザのスケジュール表（図２参照）と連動した情報であってもかまわない。具体的には、スケジュール表に登録された時間情報であっても構わない。
【００７８】
たとえば、図２を参照して説明した「Ａさん」のスケジュールに含まれる、「７：３０〜８：００の３０分間」に電車に乗る、という情報がユーザのスケジュール表に登録されている場合、時間情報抽出部１０１は、図２を参照して説明されたスケジュール表から時間情報１０を抽出しても良い。スケジュール表の情報は、コンテンツ作成装置１００内の記憶装置、または、少なくともコンテンツ作成装置１００と通信可能な記憶装置に、格納される。
【００７９】
また、時間情報抽出部１０１は、ユーザにおける電車などのチケットの発券状況から、当該ユーザの時間情報１０として取得する場合もあり得る。たとえば、ネットワーク上で、あるユーザについての「８：００発、１０：３０東京着の新幹線」の指定席券の購入の取引がなされた場合、時間情報抽出部１０１は、当該取引の情報を取得することにより、当該ユーザはその日の「８：００〜１０：３０の２時間３０分」は新幹線に乗車している、という時間情報１０を取得する。
【００８０】
また、ユーザが、当該ユーザを特定できる態様で（たとえば、所定のサイトにログインして）、交通機関の時刻表検索サービスを利用して、乗車する列車を検索し、確定のための操作（たとえば、検索結果である列車に乗車することをスケジュール情報として登録することを確定するための操作、検索結果である列車のチケットの購入手続きを確定するための操作、または、当該検索の画面の印刷指示の確定のための操作）を行った場合に、当該列車の発車時刻や到着時刻を、時間情報１０として取得する。
【００８１】
具体的には、ネットワーク上で、ユーザがログインして、時刻表検索サービスを利用して、奈良駅から大阪駅までの列車の経路を検索した結果、「９：００奈良駅発、１０：００大阪駅着の快速電車」を検索結果として取得し、当該検索結果で特定される列車に乗ることを確定するための操作を行った場合を想定する。時間情報抽出部１０１は、ネットワーク上で、上記ユーザが当該確定のための操作を行ったことを検出すると、当該列車の時間情報（発車時刻および到着時刻）を時間情報１０として取得し、時間情報蓄積部１０２に格納する。なお、この場合、ユーザが途中の駅で別の電車に乗り換えたり、乗り換えのための待ち時間が発生したりする場合が想定される。このようなとき、時間情報１０は、これらの情報も含む場合があり得る。
【００８２】
行動情報抽出部１０３は、行動情報１１を取得する。
行動情報抽出部１０３は、たとえば、無線もしくは有線の通信回線を介して、もしくは、コンテンツ作成装置１００に着脱可能に接続される記憶媒体から、行動情報１１を取得する。
【００８３】
行動情報１１は、たとえば、上記したような、電車に乗車するような行動の場合、「電車に乗車中」、「○○駅で電車乗り換え待ち時間中」、「徒歩で駅まで移動中」などの情報である。基本的には、行動情報１１は時間情報１０と対応付けされている。ただし、時間情報１０と行動情報１１が常にセットである必要はなく、時間情報１０のみが存在する場合もあり得る。
【００８４】
嗜好情報抽出部１０５は、ユーザ嗜好情報１２を取得する。
嗜好情報抽出部１０５は、無線もしくは有線の通信回線を介して、もしくは、コンテンツ作成装置１００に着脱可能に接続される記憶媒体から、ユーザ嗜好情報１２を取得する。ユーザ嗜好情報１２は、図２を参照して説明された、ユーザごとに提供（送信）されるコンテンツに対する嗜好を表す情報であり、ユーザが作成して欲しいコンテンツに関する嗜好に関する情報の全てを含み得る。
【００８５】
ユーザ嗜好情報１２は、たとえば、作成を希望するコンテンツの「ジャンル」を指定する情報であっても構わない。本明細書では、「ジャンル」を適宜「分野」ともいう。
【００８６】
ユーザ嗜好情報１２は、時間情報１０と対応付けられて、時間情報毎に希望するジャンルを指定する情報であっても構わない。また、ユーザ嗜好情報１２は、行動情報１１と対応付けられて、行動毎に希望するジャンルを指定する情報であっても構わない。また、ユーザ嗜好情報１２は、時間情報１０および行動情報１１と対応付けられて、ある時間のある行動に希望するジャンルを指定する情報であっても構わない。
【００８７】
また、ユーザ嗜好情報１２は、希望するジャンルの代わりに、テキストコンテンツ、オーディオコンテンツ、および、動画コンテンツなど、コンテンツの表現形式を指定する情報であっても構わない。すなわち、ユーザ嗜好情報１２は、時間情報１０に従ったコンテンツの作成の際に活用できる、ユーザの嗜好に関する全ての情報を含む。
【００８８】
視聴完了指標情報抽出部１０７は、無線もしくは有線の通信回線を介して、もしくは、コンテンツ作成装置１００に着脱可能に接続される記憶媒体から、視聴完了指標情報１３を抽出する。
【００８９】
視聴完了指標情報１３は、ユーザの、ジャンル毎の、コンテンツを視聴する速度および理解する速度などの情報を含み、ジャンル毎のコンテンツを視聴し終えるまでに要する時間を算出するために必要となる情報の全てを意味する。視聴完了指標情報１３は、たとえば、テキスト系のコンテンツの場合、ユーザが単位時間あたりに読む文字数、単位時間あたりに読むページ数、および単位ページあたりにページをめくる時間など、ユーザの視聴する速度の指標となる値に相当する。また、オーディオ系や動画系のコンテンツの場合、視聴完了指標情報１３は、データの再生速度情報などに相当する。
【００９０】
つまり、視聴完了指標情報１３では、ユーザが興味のある分野や得意な分野に含まれるジャンルについては、ユーザのコンテンツを視聴する速度や理解する速度が速いと考えられるため、たとえば、単位時間あたりに読む文字数として、比較的大きい値が設定される傾向にあると言える。
【００９１】
なお、視聴完了指標情報１３は、時間情報１０、行動情報１１と対応付けて設定されている情報が含まれていても構わない。たとえば、午前の時間帯に含まれる時間が指定する時間情報１０に対応する視聴完了指標情報１３は、「単位時間あたりに読む文字数は標準の１．１倍である」と設定され、午後の時間帯を指定する時間情報１０に対応する視聴完了指標情報１３は、「単位時間あたりに読む文字数は標準の０．９倍である」と設定される場合があり得る。午後の時間帯では、午前からの作業の疲れが出ることが想定されるため、集中度が下がり、単位時間あたりに読むことができる文字数が少なくなることが想定されるからである。
【００９２】
また、ユーザによっては、午前の時間帯より午後の時間帯の方が集中度が増すという場合もあり得る。このような場合には、午後の時間帯を指定する時間情報１０に対応する視聴完了指標情報１３よりも午前の時間帯を指定する時間情報１０に対応する視聴完了指標情報１３の方が、単位時間あたりに読むことができる文字数が少なく設定されることが想定される。
【００９３】
元コンテンツ入力部１０９は、無線もしくは有線の通信回線を介して、もしくは、コンテンツ作成装置１００に着脱可能に接続される記憶媒体から、元コンテンツ１４を取得する。
【００９４】
元コンテンツ１４は、図２を参照して説明したようなユーザに提供されるコンテンツが、既存のコンテンツを加工されて作成される場合の、加工の元となるコンテンツである。
【００９５】
コンテンツ再生状況情報入力部１１２は、無線もしくは有線の通信回線を介して、もしくは、コンテンツ作成装置１００に着脱可能に接続される記憶媒体から、コンテンツ再生状況情報１５を取得する。
【００９６】
コンテンツ再生状況情報１５は、コンテンツ作成装置１００が作成したコンテンツがユーザが使用する外部装置１６に送信（配信）された後、送信先の外部装置１６におけるコンテンツの視聴状況を示す全ての情報を含む。コンテンツ再生状況情報１５は、たとえば、配信されたコンテンツが、当該コンテンツに対応する時間情報内で視聴完了できたのか、時間が不足したのか、時間が余ってしまったのか、という情報を含む場合がある。また、コンテンツ再生状況情報１５は、具体的に当該時間情報に対してどの程度の時間が余ってしまったのか、また、当該時間情報内で、配信されたコンテンツのうちどの程度の内容が視聴できて、どの程度の内容が視聴できなかったのかを示す情報を含む場合がある。
【００９７】
時間情報蓄積部１０２は、時間情報抽出部１０１にて抽出された時間情報１０を蓄積し、管理する。
【００９８】
行動情報蓄積部１０４は、行動情報抽出部１０３にて抽出された行動情報１１を蓄積し、管理する。
【００９９】
嗜好情報蓄積部１０６は、嗜好情報抽出部１０５にて抽出されたユーザ嗜好情報１２を蓄積し、管理する。
【０１００】
視聴完了指標情報蓄積部１０８は、視聴完了指標情報抽出部１０７にて抽出された視聴完了指標情報１３を蓄積し、管理する。
【０１０１】
なお、時間情報蓄積部１０２の時間情報１０、行動情報蓄積部１０４の行動情報１１、嗜好情報蓄積部１０６のユーザ嗜好情報１２、および、視聴完了指標情報蓄積部１０８の
視聴完了指標情報１３は、互いに関連付けて蓄積および管理される場合がある。たとえば、行動情報蓄積部１０４に蓄積される行動情報１１は、時間情報１０と密接に関連しているため、これらは互いに対応付けられて蓄積・管理される。
【０１０２】
コンテンツ編集部１１０は、時間情報蓄積部１０２に蓄積されている時間情報１０、行動情報蓄積部１０４にて蓄積されている行動情報１１、嗜好情報蓄積部１０６にて蓄積されているユーザ嗜好情報１２、視聴完了指標情報蓄積部１０８にて蓄積されている視聴完了指標情報１３、および、元コンテンツ入力部１０９を介して入力された元コンテンツ１４を抽出して、時間情報１０で指定された時間内でユーザが視聴を終えることができるコンテンツを作成する。なお、コンテンツ編集部１１０は、時間情報蓄積部１０２、行動情報蓄積部１０４、嗜好情報蓄積部１０６、および、視聴完了指標情報蓄積部１０８のうち、少なくとも１つの蓄積部から情報を抽出すれば良く、必ずしも全てから情報を抽出しない場合もあり得る。たとえば、行動情報蓄積部１０４に、抽出された時間情報１０に対応する行動情報１１が蓄積されていない場合には、コンテンツ編集部１１０は、行動情報蓄積部１０４から情報を抽出することなく、コンテンツを作成する。各蓄積部からの情報の抽出および抽出した情報に基づいたコンテンツの作成の詳細については、後述する。
【０１０３】
出力部１１１は、コンテンツ編集部１１０によって作成されたコンテンツを外部装置１６に出力するための処理を行う。具体的には、作成されたコンテンツを外部装置１６に出力するために、コンテンツ配信サーバ２００のコンテンツ配信部２０５へと出力する。
【０１０４】
視聴完了指標情報更新部１１３は、コンテンツ再生状況情報入力部１１２を介して入力されたコンテンツ再生状況情報１５に基づいて、視聴完了指標情報蓄積部１０８にて蓄積・管理されている指標完了指標情報の更新を行う。
【０１０５】
たとえば、あるジャンルのコンテンツが時間情報内で読みきれなかった旨の情報がコンテンツ再生状況情報１５として入力された場合、視聴完了指標情報更新部１１３は当該ジャンルの視聴完了指標情報を緩めるような方向（視聴に時間を要する方向）で情報が修正される。
【０１０６】
優先度算出部１１４は、コンテンツ編集部１１０にて新コンテンツが作成される際に、元コンテンツ１４に含まれる内容毎の優先度を算出する。これは、ジャンル毎に優先度が算出されていても構わないし、全コンテンツでの優先度が算出されていても構わない。
【０１０７】
優先度の算出は、たとえば、ユーザの興味やコンテンツ配信者が配信を希望する度合いに基づく。
【０１０８】
ユーザの興味に基づいて優先度が算出される場合、たとえば、優先度算出部１１４は、各元コンテンツ１４の、ジャンルごとに関連付けられて記憶されているキーワードを含む数を算出する。そして、優先度算出部１１４は、当該数の順に従って、ジャンル内で、新コンテンツの作成に利用する元コンテンツの順序を決定する。
【０１０９】
コンテンツ配信者が配信を希望する度合いに基づく場合、たとえば、各元コンテンツには、コンテンツ配信者（新聞社等）によって配信の優先度を特定する情報が付与されている。
【０１１０】
そして、優先度算出部１１４は、元コンテンツごとに付与された当該情報を参照することにより、ジャンル内で、新コンテンツの作成に利用する元コンテンツの順序を決定する。
【０１１１】
さらに、元コンテンツごとには、流行度のような、流動的に変化する指標に基づいて優先度が算出される場合もあり得る。このような指標の具体的な例としては、特定の検索サイトにおいてユーザが検索キーワードとして入力した回数が挙げられる。このような指標は、たとえば、コンテンツ配信者が、検索サイトにアクセスし、検索キーワードのランキング情報を取得し、当該取得したランキングに基づいて各元コンテンツに付与する。
【０１１２】
また、これらの３つの条件（ユーザの興味、コンテンツ配信者が配信を希望する度合い、指標）のうち２つ以上の条件の組み合わせに基づいて優先度が算出されても良い。また、これらを組み合わせる際に、組み合わされる条件ごとに重み付けがなされていても良い。
【０１１３】
コンテンツ編集部１１０は、優先度算出部１１４にて算出された優先度に応じて、コンテンツを作成する。さらに、優先度算出部１１４は、時間情報１０および行動情報１１の少なくとも一方毎に優先度を作成するものであっても構わない。たとえば、時間情報が午前中に属する場合のジャンル毎の優先度であっても構わないし、徒歩で移動中の場合のジャンル毎の優先度であっても構わない。
【０１１４】
時間情報１０ごとに優先度を作成することは、たとえば、新コンテンツの再生予定時刻が午前中に属するか午後に属するかで、元コンテンツに対して算出される優先度（たとえば、キーワードを含む数）を変化させることによって実現される。これは、たとえば、午前中に再生されるべき新コンテンツの作成のための上記キーワードと、午後に再生されるべき新コンテンツの作成のための上記キーワードとを異なることにより、実現される。
【０１１５】
また、行動情報１１ごとに優先度を作成することは、たとえば、行動情報「徒歩で移動」と行動情報「電車で移動」とで、ジャンルごとに関連付けられて記憶されるキーワードが異なる場合が考えられる。これにより、各元コンテンツに対して算出される「キーワードを含む数」が、行動情報の種類によって異なる場合が生じる。
【０１１６】
変換部１１５は、視聴完了指標情報蓄積部１０８に蓄積された視聴完了指標情報１３を、必要に応じて、時間情報毎に指定された変換規則に従って変換し、コンテンツ編集部１１０へ送信する。
【０１１７】
＜コンテンツ作成装置を実現するコンピュータシステムの構成例＞
本実施の形態に係るコンテンツ作成装置１００は、実質的には、コンピュータハードウェアと、そのコンピュータハードウェアにより実行されるプログラムと、コンピュータハードウェアに格納されるデータとによって、実現される。
【０１１８】
図５は、コンテンツ作成装置１００を実現するためのコンピュータシステム３００の内部構成の一例を示す図である。
【０１１９】
図５を参照して、このコンピュータシステム３００は、光ディスクドライブ３０１および磁気ディスクドライブ３０２を有するコンピュータ３２０と、モニタ３０３と、リモートコントローラ（以下、「リモコン」と呼ぶ）３０４とを含む。
【０１２０】
コンピュータ３２０は、光ディスクドライブ３０１および磁気ディスクドライブ３０２に加えて、リモコン３０４からの信号を受信するリモコンインターフェース（Ｉ／Ｆ）３０５と、プロセッサの一例であるＣＰＵ（中央処理装置）３０６と、リモコンインターフェース３０５、ＣＰＵ３０６、光ディスクドライブ３０１および磁気ディスクドライブ３０２に接続されたバス３０７と、バス３０７に接続され、ブートアッププログラム等を記憶する読出専用メモリ（ＲＯＭ）３０８と、同じくバス３０７に接続され、プログラム命令、システムプログラム、および作業データ等を記憶するランダムアクセスメモリ（ＲＡＭ）３０９とを含む。
【０１２１】
ここでは示さないが、コンピュータ３２０はさらにローカルエリアネットワーク（ＬＡＮ）への接続を提供するネットワークアダプタボードを含んでいてもよい。
【０１２２】
コンピュータシステム３００にコンテンツ作成装置１００の機能を実現させるためのプログラム、時間情報１０、行動情報１１、ユーザ嗜好情報１２、視聴完了指標情報１３、元コンテンツ１４、およびコンテンツ再生状況情報１５（図４参照）は、いずれも、光ディスクドライブ３０１または磁気ディスクドライブ３０２に挿入される光ディスク３１０または磁気ディスク３１１に記憶され、さらにハードディスク３１２に転送される。または、プログラム、時間情報１０、行動情報１１、ユーザ嗜好情報１２、視聴完了指標情報１３、元コンテンツ１４、およびコンテンツ再生状況情報１５（図４参照）は、図示しないネットワークを通じてコンピュータ３２０に送信されハードディスク３１２に記憶されてもよい。プログラムの実行の際には、当該プログラムはＲＡＭ３０９にロードされる。当該プログラムは、光ディスク３１０もしくは磁気ディスク３１１から、または、ネットワークを介して、直接的に、ＲＡＭ３０９にロードされてもよい。
【０１２３】
このプログラムは、コンピュータ３２０に本実施の形態に係るコンテンツ作成装置１００の機能を実現させる複数の命令を含む。これら機能を実現させるのに必要な基本的機能のいくつかは、コンピュータ３２０上で動作するオペレーティングシステム（ＯＳ）またはサードパーティのプログラム、若しくはコンピュータ３２０にインストールされる各種ツールキットのモジュールにより提供される。したがって、このプログラムは、この実施の形態に係るコンテンツ作成装置１００の機能を実現するのに必要な機能全てを必ずしも含まなくてよい。このプログラムは、命令のうち、所望の結果が得られるように制御されたやり方で適切な機能または「ツール」を呼出すことにより、上記したコンテンツ作成装置１００の制御を実行する命令のみを含んでいればよい。コンピュータシステム３００の動作は周知であるので、ここでは繰り返さない。
【０１２４】
なお、コンテンツ作成装置１００の機能を実現するためのプログラム、時間情報１０、行動情報１１、ユーザ嗜好情報１２、視聴完了指標情報１３、元コンテンツ１４、およびコンテンツ再生状況情報１５（図４参照）が記録される記録媒体は、ＣＤ−ＲＯＭ（コンパクトディスク読取専用メモリ）、ＭＯ（Ｍａｇｎｅｔｏ−Ｏｐｔｉｃａｌ  ｄｉｓｃ）、ＭＤ（Ｍｉｎｉ  Ｄｉｓｃ）、およびＤＶＤ（Ｄｉｇｉｔａｌ  Ｖｅｒｓａｔｉｌｅ  Ｄｉｓｃ）等の光ディスク３１０、ＦＤ（フレキシブルディスク）およびハードディスク等の磁気ディスク３１１に限らない。磁気テープおよびカセットテープ等のテープ、ＩＣ（Ｉｎｔｅｇｒａｔｅｄ  Ｃｉｒｃｕｉｔ）カードおよび光カード等のカード型記録媒体、並びにマスクＲＯＭ、ＥＰＲＯＭ（Ｅｒａｓａｂｌｅ  Ｐｒｏｇｒａｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍａｂｌｅ  ＲＯＭ）、およびフラッシュＲＯＭ等の半導体メモリのいずれかでもよい。ただし、コンピュータシステム３００は、これら記録媒体からの読出を行なうための読出装置を実装する必要がある。
【０１２５】
＜主要動作の概要＞
図６は、コンテンツ作成装置１００の主要動作の概念を示すフローチャートである。
【０１２６】
図６を参照して、コンテンツ作成装置１００に電源が投入されると、上記したプログラムが起動し、ステップＳ１へ処理が進められる。なお、外部装置１６や外部の装置からのコンテンツ作成の要求指示に応じて、当該プログラムが起動される場合もあり得る。
【０１２７】
ステップＳ１では、時間情報抽出部１０１は時間情報１０を抽出し、時間情報蓄積部１０２に蓄積し、ステップＳ２へ処理が進められる。
【０１２８】
ステップＳ２では、視聴完了指標情報抽出部１０７は、視聴完了指標情報１３を抽出し、視聴完了指標情報蓄積部１０８に蓄積し、ステップＳ３へ処理が進められる。
【０１２９】
ステップＳ３では、嗜好情報抽出部１０５は、ユーザ嗜好情報１２を抽出し、嗜好情報蓄積部１０６に蓄積し、ステップＳ４へ処理が進められる。
【０１３０】
ステップＳ４では、行動情報抽出部１０３は、行動情報１１が存在するか否かを判定する。入力する行動情報１１が存在する場合は、ステップＳ５へ進み、存在しない場合はステップＳ６へ処理が進められる。
【０１３１】
ステップＳ５では、行動情報抽出部１０３は、行動情報１１を抽出し、行動情報蓄積部１０４に蓄積し、ステップＳ６へ処理が進められる。
【０１３２】
ステップＳ６では、コンテンツ編集部１１０は、時間情報、行動情報、ユーザ嗜好情報、および視聴完了指標情報などの情報を使って、時間情報内にユーザが再生し終える量のコンテンツを作成し、ステップＳ７へ処理が進められる。なお、コンテンツ編集処理の詳細については後述する。
【０１３３】
ステップＳ７では、出力部１１１は、ステップＳ６にて作成されたコンテンツを外部装置１６に出力し、処理を終了する。
【０１３４】
（コンテンツ編集処理）
図７は、図６に示されたステップＳ６で実行されるコンテンツ編集処理のサブルーチンのフローチャートである。
【０１３５】
図７を参照して、コンテンツ編集処理が開始されると、ステップＳ６０１では、コンテンツ編集部１１０は、これから作成するコンテンツ（以下、元コンテンツ１４に対して「新コンテンツ」ともいう）に含む内容のジャンルを１つ選択し、ステップＳ６０２へ処理が進められる。ここで、コンテンツ編集部１１０がジャンルの選択の方法は規定しないが、たとえば、ステップＳ３にて抽出したユーザ嗜好情報において、ステップＳ１で抽出した時間情報、さらにはステップＳ５において抽出した行動情報でユーザが希望するジャンル情報が示されている場合は、そのジャンルの中で１つ選択すれば良い。
【０１３６】
ステップＳ６０２では、コンテンツ編集部１１０は、ステップＳ１にて抽出された時間情報のうち、ステップＳ６０１にて抽出したジャンルが占める配分時間を算出し、ステップＳ６０３へ処理が進められる。
【０１３７】
ステップＳ６０３では、コンテンツ編集部１１０は、ステップＳ６０１にて選択されたジャンルの視聴完了指標情報を抽出し、ステップＳ６０４へ処理が進められる。なお、ステップＳ１で抽出した時間情報における当該ジャンルの視聴完了指標情報を抽出するものであっても構わない。
【０１３８】
ステップＳ６０４では、コンテンツ編集部１１０は、優先度算出部１１４にて算出された当該ジャンルの優先度の高い順に元コンテンツを抽出し、ステップＳ６０５へ処理が進められる。
【０１３９】
ステップＳ６０５では、コンテンツ編集部１１０は、ステップＳ６０３にて抽出した当該ジャンルの視聴完了指標情報を用いて、ステップＳ６０４にて抽出された元コンテンツをユーザが視聴するのに要する所要時間を算出し、ステップＳ６０６へ処理が進められる。
【０１４０】
ステップＳ６０６では、コンテンツ編集部１１０は、ステップＳ６０５で算出した所要時間を要する元コンテンツを、新コンテンツに含めることができるか否かを判定する。当該元コンテンツを配置できる場合はステップＳ６０７へ処理が進められ、配置できない場合はステップＳ６０８へ処理が進められる。たとえば、ステップＳ６０５で算出した所要時間を要する元コンテンツを配置した場合、新コンテンツにおいて、ステップＳ６０２にて算出された当該ジャンルに割り振られた配分時間を越えるか否かで判定するものであっても構わない。
【０１４１】
ステップＳ６０７では、コンテンツ編集部１１０は、当該元コンテンツを新コンテンツ内に配置して、ステップＳ６１１へ処理が進められる。
【０１４２】
ステップＳ６０８では、コンテンツ編集部１１０は、当該元コンテンツの新コンテンツにおける配置を見送るか、すなわち、当該元コンテンツを新コンテンツに含めるか否かを判定する。含める場合はステップＳ６０９へ処理が進められ、含めない場合はステップＳ６１１へ処理が進められる。
【０１４３】
なお、「元コンテンツの配置を見送るか否かの判定」は、当該元コンテンツそのものを配置するか否かを判定するものでは無くて、当該元コンテンツの内容を配置するか否かを判定するものである。たとえば、当該元コンテンツの全体は、ステップＳ６０５で算出した所要時間が長すぎて配置できないが、当該元コンテンツに要約版のコンテンツが存在する場合、当該要約版のコンテンツを新コンテンツに配置するか否かを判定するものである。ゆえに、当該元コンテンツの要約版も配置しないような場合は、ステップＳ６１１へ処理が進められ、当該元コンテンツの要約版など、当該元コンテンツについて表現形式を変更された（同一内容の）コンテンツを配置する場合は、ステップＳ６０９へ処理が進められる。
【０１４４】
ステップＳ６０９では、コンテンツ編集部１１０は、当該元コンテンツの別の表現で示したコンテンツ（たとえば要約版）を抽出し、ステップＳ６１０へ処理が進められる。
【０１４５】
ステップＳ６１０では、コンテンツ編集部１１０は、ステップＳ６０３にて抽出した当該ジャンルの視聴完了指標情報を用いて、ステップＳ６０９にて抽出されたコンテンツをユーザが視聴するのに要する時間（所要時間）を算出し、ステップＳ６０６へ処理が戻される。
【０１４６】
ステップＳ６１１では、コンテンツ編集部１１０は、ステップＳ６０１で抽出したジャンルの別の元コンテンツを配置するか否かを判定する。配置する場合は、ステップＳ６０４へ処理が戻され、配置しない場合はステップＳ６１２へ処理が進められる。
【０１４７】
ステップＳ６１２では、コンテンツ編集部１１０は、作成するコンテンツの中にまだ新コンテンツに配置されていないジャンルがあるか否かを判定する。配置されていないジャンルがある場合はステップＳ６０１へ処理が戻され、配置されていないジャンルが無い場合はステップＳ６１３へ処理が進められる。
【０１４８】
たとえば、ステップＳ３にて抽出したユーザ嗜好情報において、ステップＳ１で抽出した時間情報、さらにはステップＳ５において抽出した行動情報でユーザが希望するジャンル情報が示されている場合は、そのジャンルの中でまだ配置していないジャンルがあるかどうかを判定するものであっても構わない。
【０１４９】
ステップＳ６１３では、コンテンツ編集部１１０は、作成したコンテンツ全体の所要時間と、ステップＳ１にて抽出した時間情報と比較して適切か否かを判定する。コンテンツ全体の所要時間が抽出した時間情報と比較して適切な長さの場合は処理を終了するが、コンテンツ全体の所要時間が抽出した時間情報に比べて短すぎる場合はステップＳ６１４へ進み、逆に長すぎる場合はステップＳ６１５へ処理が進められる。
【０１５０】
ここで、コンテンツ編集部１１０がコンテンツ全体の所要時間と抽出した時間情報とを比較して適切か否かを判定する方法は規定しないが、たとえば、コンテンツ全体の所要時間が抽出した時間情報のプラスマイナスで所定割合分または所定時間分以内であれば適切と判定するものであっても構わない。たとえば、３０分のコンテンツを作成する際に、プラスマイナス１％は許容するとした場合、作成されたコンテンツが２９分４２秒から３０分１８秒までは適切として判定し、２９分４２秒より短い場合は「短すぎる」、３０分１８秒より長い場合は「長すぎる」と判定する。
【０１５１】
ステップＳ６１４では、コンテンツ編集部１１０は、作成したコンテンツが短すぎると判定されたため、その時間を補うために追加するコンテンツのジャンルを決定し、ステップＳ６０４へ処理を戻す。
【０１５２】
ここで、コンテンツ編集部１１０が追加するコンテンツのジャンルを決定する方法は規定しないが、たとえば、ステップＳ６０２で算出したジャンル毎の配分時間が考慮され、余っている時間（配分時間に対して不足している時間）が最も長いジャンルを選択するものであっても構わない。
【０１５３】
ステップＳ６１５では、コンテンツ編集部１１０は、作成した新コンテンツが時間情報に対して長すぎると判定されたため、新コンテンツの修正を決定し、コンテンツを配置し直し、ステップＳ６１３へ処理を戻す。
【０１５４】
ここで、コンテンツ編集部１１０が新コンテンツの修正方法は特に規定しないが、たとえば、作成された新コンテンツに含まれる元コンテンツの中で、（そのジャンル等が）最も優先度の低い元コンテンツを、本編から要約版に差し替える、というものであっても構わないし、新コンテンツ中で所要時間が最も長い元コンテンツを所要時間が短い版に差し替える、または、（同じジャンルの）別の元コンテンツに差し替える、などであっても構わない。
【０１５５】
図６および図７を参照して説明した処理について、その具体例を、以下に、実施例（１）から実施例（２）として例示する。
【０１５６】
＜実施例（１）＞
実施例（１）では、ユーザのスケジュールから抽出した時間情報に応じてコンテンツが作成される際の、コンテンツ作成装置１００の動作を例示する。より具体的には、当該スケジュールから、Ａさんの「昼休み」のために提供される新コンテンツの作成について、説明する。
【０１５７】
まず、図８に、ユーザＡさんのある日のスケジュールの一例を示す。
また、図９に、図８に示すＡさんの各スケジュールにおけるＡさんの行動情報の一例を示す。なお、図９では、図８のＡさんのスケジュールのうち、（ａ）として、「７：１５〜８：１５」のＡさんの通勤時間時の行動情報が示され、（ｂ）として、「１２：００〜１３：００」のＡさんの昼休み時の行動情報が示され、そして、（ｃ）として、「１７：１５〜１８：１５」のＡさんの帰宅時間時の行動情報が示されている。
【０１５８】
なお、図９の行動情報は、時間と当該時間に行う行動の情報とが示されているが、行動情報は必ずしもこの形式に限らない。時間と当該時間における行動の内容を特定できる形式であればよい。たとえば、正確な時刻を特定する代わりに、「午前」「午後」というような時間帯を特定する情報を含んでも良い。
【０１５９】
図８および図９に示されたのが、時間情報の一例である。
図１０に、Ａさんの嗜好情報の一例を示す。
【０１６０】
図１０に示す嗜好情報は、対象時間帯と、各対象時間帯に関連付けられた嗜好内容を含む。嗜好内容は、ユーザが新コンテンツに含められることを希望するジャンルと、作成するコンテンツの表現形式とを含む。
【０１６１】
図１０の嗜好情報では、対象時間帯ごとに、嗜好内容が設定されている。なお、同じ対象時間帯においても、その全体に対して嗜好内容が設定される場合と、部分ごとに嗜好内容が設定される場合がある。たとえば、「昼休み」については、その全体に対して嗜好内容が設定されている。一方、「通勤時間」については、「徒歩で移動」の期間と「電車で移動」の期間のそれぞれに対して嗜好内容が設定されている。
【０１６２】
嗜好情報は、たとえば、ユーザがスケジュールを所定のサーバに登録する際に、合わせて同じサーバまたは異なるに登録される場合がある。そして、そのような場合、コンテンツ作成装置１００は、当該サーバ（または、これらのサーバ）から、スケジュール情報および嗜好情報を取得することができる。
【０１６３】
なお、嗜好情報の形式は、図１０に示された形式に限られない。ユーザの嗜好情報を特定できる形式であればよい。たとえば、対象時間帯としてユーザのスケジュールを記載しているが、「７：１５〜８：１５」というような正確な時刻を含む情報であっても構わないし、日付や曜日指定をさらに含むものであっても構わないし、「午前」「午後」というような時間帯を特定する情報であっても構わない。また、希望するコンテンツのジャンルでは、ジャンル名だけ記載するものであっても構わないし、希望しないジャンルを特定するものであっても構わない。さらに、ジャンル毎の優先度があっても構わないし、ジャンル毎の重みづけがあっても構わない。また、コンテンツの表現形式では、時間毎にコンテンツ表現形式を記載するものであっても構わないし、希望しない表現形式を特定するものであっても構わない。
【０１６４】
図１１に、Ａさんの視聴完了指標情報の一例を示す。
図１１に示す視聴完了指標情報では、コンテンツのジャンルと、視聴完了指標情報とが、関連付けられている。視聴完了指標情報は、テキスト形式での視聴完了指標情報、オーディオ形式での視聴完了指標情報、および、動画形式での視聴完了指標情報を含む。
【０１６５】
図１１に示された例では、たとえば、コンテンツのジャンルが「ニュース」の場合、テキスト形式で表現されたコンテンツでは、Ａさんは１分間に５００文字程度の速さでテキストを読むことができ、オーディオ形式のコンテンツや動画形式のコンテンツでは１．０倍速、すなわち通常の再生スピードでオーディオや動画を再生して視聴することができることを示している。
【０１６６】
すなわち、図１１に示されたような視聴完了指標情報は、テキスト形式、オーディオ形式、動画形式のそれぞれで新コンテンツが作成された場合に、当該新コンテンツの視聴が予定されるＡさんが、当該新コンテンツを読む速度、視聴する速度、および／または、理解する速度等を数値化したものに相当する。
【０１６７】
なお、視聴完了指標情報の形式は、必ずしも図１１に示された形式に限られない。図１１のテキスト形式の視聴完了指標情報は単位時間あたりに読む文字数で示しているが、単位時間あたりに読むページ数や単位ページあたりにページをめくる時間などであっても構わない。すなわち、コンテンツに含まれるジャンル毎に、テキスト形式やオーディオ形式や動画形式などのコンテンツの表現形式毎に読む速度、視聴する速度、理解する速度等を特定することができる情報であれば、形式は図１１に示されたもの以外のものであっても構わない。
【０１６８】
図１２に、図１１とは異なる形式で表現したＡさんの視聴完了指標情報を示す。
図１２において、（ａ）には、Ａさんの視聴完了指標情報が示され、（ｂ）には、レベル情報変換テーブルが示されている。すなわち、Ａさんの視聴完了指標情報ではレベル情報を保持しておき、そのレベル情報を変換するテーブルを別に持っておくものであっても構わない。
【０１６９】
なお、図１２の（ｂ）に示すレベル情報変換テーブルでは、テキスト形式についての情報が、単位時間あたりに読む文字数で示されているが、単位時間あたりに読むページ数や、単位ページあたりのページの閲覧を開始してからめくるをめくるまでの時間などであっても構わない。すなわち、コンテンツに含まれるジャンル毎に、テキスト形式やオーディオ形式や動画形式などのコンテンツの表現形式毎に、読む速度、視聴する速度、理解する速度等を特定することができる情報であれば構わない。
【０１７０】
図１３に、元コンテンツのコンテンツ情報の一例を示す。
なお、図１３では、（ａ）に、エンタメ（「エンターテイメント」の省略形）系記事の元コンテンツの情報が示され、（ｂ）に、科学系記事の元コンテンツのコンテンツ情報が示されている。
【０１７１】
図１３の（ａ）では、エンタメ系記事の記事Ａ１から記事Ａ９の９件の記事について、表現１と表現２の２通りの表現方法のテキストコンテンツの文字数が示され、さらに、各記事に動画コンテンツが存在する場合には、動画コンテンツの再生時間情報が示されている。なお、図１３において、テキストコンテンツの表現１の情報は、当該記事の全文版の文字数であり、表現２の情報は、当該記事の要約版の文字数を示しているが、必ずしもこれらに限るものではない。
【０１７２】
また、図１３における「再生時間」は、小数点以下は百分率で示されている。たとえば、記事Ａ１の動画コンテンツの再生時間は「１．１０分」と記載されている。これは、当該再生時間が１分０６秒間であることを示している。以下、再生時間と所要時間については、特記される場合を除いて、小数点以下の数値は百分率で示される。
【０１７３】
図１３に示されたような元コンテンツの情報は、たとえば、元コンテンツ入力部１０９が各元コンテンツを格納しているサーバ等から取得する。コンテンツ編集部１１０は、当該元コンテンツ入力部１０９が取得した当該情報を参照することにより、本明細書に記載されたような態様で新コンテンツを作成する。
【０１７４】
次に、実施例におけるコンテンツの作成の具体例として、図８に示されたＡさんのスケジュールおよび図９の（ｂ）に示されたＡさんの昼休み時の行動情報から、「１２：３０〜１３：００」までの「３０分間」に読みきれるコンテンツの作成におけるコンテンツ作成装置１００の動作を例示する。
【０１７５】
図６に示すステップＳ１にて、時間情報抽出部１０１は、図８に示すＡさんのスケジュールおよび図９に示すＡさんの昼休み時の行動情報から、作成する新コンテンツの時間情報として、「１２：３０〜１３：００」の「３０分間」という情報を抽出して、ステップＳ２へ処理が進められる。
【０１７６】
ステップＳ２では、視聴完了指標情報抽出部１０７は、図１１に示すＡさんの視聴完了指標情報を抽出し、ステップＳ３へ処理が進められる。
【０１７７】
ステップＳ３では、嗜好情報抽出部１０５は、図１０に示すＡさんの嗜好情報を抽出し、ステップＳ４へ処理が進められる。
【０１７８】
ステップＳ４では、行動情報抽出部１０３は、行動情報を抽出するか否かを判定する。この例では、図９の（ｂ）に示すＡさんの昼休み時の行動情報を抽出するので、ステップＳ５へ処理が進められる。そして、行動情報抽出部１０３が、ステップＳ５で当該情報を抽出し、ステップＳ６へ処理が進められる。
【０１７９】
ステップＳ６のコンテンツ編集処理において、図７のステップＳ６０１では、コンテンツ編集部１１０は、ジャンルを１つ選択してステップＳ６０２へ処理が進められる。この例では、図１０のＡさんの嗜好情報から、対象時間帯が「昼休み」に希望するコンテンツのジャンルは「エンタメ」と「科学」であるので、どちらか一方を選択する。たとえば、「エンタメ」を選択するものとする。
【０１８０】
ステップＳ６０２では、コンテンツ編集部１１０は、「エンタメ」に配分する時間を算出し、ステップＳ６０３へ処理が進められる。この例では、図１０のＡさんの嗜好情報から、「エンタメ」は「８割」と指定されており、今は昼休みの「３０分」に読むコンテンツを作成するため、「エンタメ」に配分される時間は「２４分」となる。
【０１８１】
ステップＳ６０３では、コンテンツ編集部１１０は、図１１に示すＡさんの「エンタメ」の視聴完了指標情報を抽出し、ステップＳ６０４へ処理が進められる。
【０１８２】
ステップＳ６０４では、コンテンツ編集部１１０は、図１３の（ａ）に示す「エンタメ」の記事から１つ抽出し、ステップＳ６０５へ処理が進められる。図１３では、コンテンツ情報は、ジャンルごとに、優先度が高い順に並んでいるものとする。これにより、「エンタメ」のジャンルでは、「記事Ａ１」が最も優先度が高いことになる。したがって、「記事Ａ１」が選択される。
【０１８３】
ステップＳ６０５では、コンテンツ編集部１１０は、Ａさんが「記事Ａ１」を読んだ際に要する所要時間を算出し、ステップＳ６０６へ処理が進められる。この例では、図１１のＡさんの視聴完了指標情報では「エンタメ」のコンテンツをテキスト形式で表現した場合は１分間に５５０文字読むことができるので、９９０文字を含む「記事Ａ１」の所要時間は「１分４８秒」となる。
【０１８４】
図１１のＡさんの視聴完了指標情報では、オーディオ形式と動画形式のコンテンツについては、再生速度（倍率）が設定されている。ステップＳ６０５における所要時間の算出の対象となる元コンテンツの表現形式がオーディオ形式または動画形式である場合には、当該表現形式に対応する再生速度が利用される。具体的には、図１１において、Ａさんのジャンル「スポーツ」のオーディオ形式の再生速度は、「１．１倍速」である。これにより、ジャンル「スポーツ」の１．４５分のコンテンツについてのＡさんの所要時間は、１．４５分を１．１で除した値、つまり、「１．３２分」と算出される。
【０１８５】
ステップＳ６０６では、コンテンツ編集部１１０は、元コンテンツである「記事Ａ１」をこれから作成する新コンテンツに含めるか否かを判定する。この例では、含めるとすると、「記事Ａ１」をコンテンツに配置し、ステップＳ６１１に進む。
【０１８６】
ステップＳ６１１では、コンテンツ編集部１１０は、「エンタメ」ジャンルの記事をさらに新コンテンツに追加するか否かを判定する。この例では、「エンタメ」に割り振られた配分時間「２４分」のうち、まだ「１分４８秒」分の記事しか配置していないので、ステップＳ６０４へ処理が進められる。
【０１８７】
これらの操作を繰り返すことで、「記事Ａ１」、「記事Ａ２」、「記事Ａ３」、「記事Ａ４」、「記事Ａ５」、「記事Ａ６」、「記事Ａ７」および「記事Ａ８」の８つの「エンタメ」系の記事が配置されたとする。この時、この８つの記事の所要時間を合計すると「２４分」となり、「エンタメ」に割り振られた所要時間である「２４分」と一致するため、ステップＳ６１１において、コンテンツ編集部１１０は、「エンタメ」ジャンルの記事をこれ以上新コンテンツに配置しないと判定し、ステップＳ６１２へ処理が進められる。
【０１８８】
ステップＳ６１２では、コンテンツ編集部１１０は、図１０の嗜好情報において特定されたジャンルのうち、まだ新コンテンツに配置していないジャンルが他にあるか否かを判定する。この例では、処理対象の時間帯に対応するジャンル（「エンタメ」と「科学」）のうち、「エンタメ」の記事は配置したが、「科学」の記事は配置していないので、ステップＳ６０１に処理を戻す。
【０１８９】
そして、コンテンツ編集部１１０は、ステップＳ６０１で、ジャンルを「科学」にセットし、上述と同じ方法で処理を行う。
【０１９０】
上述の方法を繰り返した後、「記事Ｂ１」および「記事Ｂ２」が配置された後、「記事Ｂ３」を新コンテンツ中で配置する位置について説明する。
【０１９１】
ステップＳ６０５で、コンテンツ編集部１１０は、Ａさんが「記事Ｂ３」を読んだ際に要する所要時間を算出する。「科学」のコンテンツをテキスト形式で表現した場合に、Ａさんが読む速さは、図１１より１分間あたり４５０文字であるため、６３０文字の「記事Ｂ３」の所要時間は「１分２４秒」である。
【０１９２】
ステップＳ６０６では、コンテンツ編集部１１０は、所要時間が「１分２４秒」である「記事Ｂ３」をコンテンツに含めるか否かを判定する。ここで、「記事Ｂ１」と「記事Ｂ２」の所要時間の合計は「５分１８秒」であるので、「記事Ｂ３」を加えると、所要時間の合計は「６分４２秒」となる。「科学」に割り振られた所要時間は「６分」を大きく超えている為、ステップＳ６０８へ処理が進められる。
【０１９３】
ステップＳ６０８では、コンテンツ編集部１１０は、「記事Ｂ３」の別の表現方法で配置するか否かを判定する。この例では、「記事Ｂ３」の表現１では所要時間が「１分２４秒」要するが、表現２の方で配置する場合を考えるとし、ステップＳ６０９へ処理が進められる。
【０１９４】
ステップＳ６０９では、コンテンツ編集部１１０は、「記事Ｂ３」の別の表現方法を抽出する。この例では、３１５文字の表現２の方を抽出し、ステップＳ６１０へ処理が進められる。
【０１９５】
ステップＳ６１０では、コンテンツ編集部１１０は、３１５文字の表現２の「記事Ｂ３」の所要時間を算出すると、「４２秒」となり、ステップＳ６０６へ処理を戻す。
【０１９６】
ステップＳ６０６では、コンテンツ編集部１１０は、「記事Ｂ１」および「記事Ｂ２」と、表現２で記された「記事Ｂ３」の所要時間の合計を算出する。この例では、３つの記事の所要時間の合計は「６分」となり、表現２で記された「記事Ｂ３」はコンテンツに含めることができるので、ステップＳ６０７へ進み、ステップＳ６０７で、表現２で記された「記事Ｂ３」をコンテンツに含め、ステップＳ６１１へ処理が進められる。
【０１９７】
ステップＳ６１１では、コンテンツ編集部１１０は、「科学」に割り振られた所要時間である「６分」分の「科学」のコンテンツを配置したので、ステップＳ６１２に進む。
【０１９８】
ステップＳ６１２では、コンテンツ編集部１１０は、既に「エンタメ」と「科学」の両方のジャンルのコンテンツを配置したので、ステップＳ６１３へ処理が進められる。
【０１９９】
ステップＳ６１３では、コンテンツ編集部１１０は、コンテンツ全体の所要時間が抽出した時間情報と比較して適切か否かを判定する。今の例では、「１２：３０〜１３：００」の「３０分間」の新コンテンツが作成される。図１０の昼休みの新コンテンツについて設定された「エンタメ」ジャンルと「科学」ジャンルの割合は８対２である。そして、ここまでで作成された新コンテンツでは、「エンタメ」ジャンルの記事が「２４分」であり、「科学」ジャンルの記事が「６分」である、合計「３０分」の新コンテンツが作成されている。このため、「エンタメ」ジャンルと「科学」ジャンルの割合が８対２となっており、コンテンツ編集部１１０は、適切と判断し、処理を終了する。
【０２００】
なお、「２４分」の「エンタメ」ジャンルの記事と「６分」の「科学」ジャンルの記事から作成された新コンテンツ（コンテンツ（１））の構成の一例を図１４に示す。
【０２０１】
新コンテンツの構成では、当該新コンテンツ内の元コンテンツの配列の順序を示すコンテンツ内通し番号が含まれる。
【０２０２】
図１４中の各構成要素（各元コンテンツ）についての「所要時間」とは、各元コンテンツの情報（図１３）と、各元コンテンツのジャンルおよび表現形式に対応したユーザの視聴完了指標情報（図１１）とに基づいて算出された、視聴に必要とされることが予測される時間である。
【０２０３】
図１４に示された新コンテンツ（コンテンツ（１））の構成は、図１１に示された視聴完了指標情報に従って作成されたものである。
【０２０４】
また、図１５に、図１１の代わりに図１２の視聴完了指標情報に従って作成された新コンテンツ（コンテンツ（２））の構成の一例を示す。
【０２０５】
図１２では、視聴完了指標情報はレベルによって管理されている。具体的には、図１２の（ａ）では、視聴完了指標情報は、ジャンル毎および表現形式（テキスト、オーディオ、動画）ごとに、速度のレベルで示されている。そして、図１２（ｂ）では、各表現形式について、各レベルに対応する視聴速度についての値が示されている。
【０２０６】
図１１に示された視聴完了指標情報と図１２に示された視聴完了指標情報のうち、新コンテンツに記事を含まれるジャンル（「エンタメ」と「科学」）について値を比較する。「エンタメ」のテキスト形式の視聴完了指標情報は、図１１では、「５５０文字／分」であるが、図１２では、「レベル３」つまり「５００文字／分」である。また、「科学」のテキスト形式の視聴完了指標情報は、図１１では、「４５０文字／分」であるが、図１２では、「レベル２」つまり「４００文字／分」である。このことは、いずれのジャンルのテキスト形式についても、図１２の値は図１１の値よりも視聴の速度が遅いことを示している。これに伴い、図１５のコンテンツ（２）の構成では、図１４のコンテンツ（１）の構成と比較して、両ジャンルについて、含まれる記事の数が少ない。
【０２０７】
なお、提供される新コンテンツは、図１４や図１５に示されたようなテキスト形式の元コンテンツのみを含むものでなくても良い。図１６に、さらに他の新コンテンツの構成の例（コンテンツ（３））を示す。
【０２０８】
図１６に示されたコンテンツ（３）の構成では、テキスト形式だけでなく、動画形式の元コンテンツも含まれている。新コンテンツがどの形式のコンテンツを含むかは、図１０に示されたような嗜好情報における嗜好内容の欄の設定内容に基づく。図１０の「昼休み」の嗜好内容には、「テキスト形式」と「オーディオ形式」と「動画形式」が含まれる。コンテンツ編集部１１０は、これらの形式から、新コンテンツを構成する元コンテンツの表現形式を選択することができる。より具体的には、たとえば元コンテンツ入力部１０９を介して提供される元コンテンツの一群において、新コンテンツに組み込まれる際の優先順位が設定されている場合、コンテンツ編集部１１０は、当該優先順位に従いつつ、上記嗜好内容の欄の設定内容に基づいて、新コンテンツに組み込む元コンテンツを選択する。
【０２０９】
また、新コンテンツは、図１７にコンテンツ（４）として示されるように、複数の表現形式を含む元コンテンツが組み込まれていても良い。
【０２１０】
図１７では、「記事Ｂ２」は、テキスト形式と動画形式の情報を含む元コンテンツである。上記したように、図１０の「昼休み」の嗜好内容には、「テキスト形式」と「オーディオ形式」と「動画形式」が含まれる。したがって、コンテンツ編集部１１０は、「昼休み」のために作成する新コンテンツに、テキスト形式と動画形式の情報を含む元コンテンツである「記事Ｂ２」を含めることができる。
【０２１１】
以上説明した本実施例では、新コンテンツでは、ユーザが希望するジャンルの元コンテンツが、３０分という時間内でおさまるように、記事が配置される。
【０２１２】
なお、ユーザが希望するジャンルは、ユーザの「嗜好情報」（図１０参照）において特定される。嗜好情報は、予め設定されていても良いし、外部装置１６の使用に従って生成されても良い。新コンテンツの所要時間（たとえば、上記の「３０分」）は、スケジュールおよび行動情報（図８および図９参照）において特定される。
【０２１３】
本実施例における新コンテンツの作成は、単に、嗜好情報で特定されるジャンルの元コンテンツを、スケジュールおよび行動情報によって特定される時間分組み合わせるのではない。各元コンテンツについて、ジャンル毎のユーザの視聴完了指標情報に従って各ユーザが視聴に要する時間を予測し、当該予測された時間に従って、元コンテンツを組み合せる。これにより、ユーザに、コンテンツの視聴を必要とする時間（または、コンテンツの視聴が可能な時間）ができた場合、当該時間を余すことなく、かつ、当該時間内で視聴が可能な、新コンテンツを提供することができる。
【０２１４】
テキスト、音声および動画などを含む電子書籍コンテンツについて、それらのコンテンツを読む速度や理解する速度はユーザ毎に異なる場合がある。このため、単に、嗜好情報で特定されるジャンルの元コンテンツを、スケジュールおよび行動情報によって特定される時間分組み合わせられて新コンテンツが作成された場合、当該新コンテンツが再生されたとき、予定された時間を余らせてしまったり、時間が不足したりする事態が想定される。また、近年多く提供されている電子書籍コンテンツには、色々なジャンルの内容が含まれるが、ユーザによっては、ジャンル毎に、読む速度や理解する速度が異なる場合もある。本実施例では、このような場合にも、新コンテンツを再生したユーザにおける、時間の余りや不足を、極力回避することができる。
【０２１５】
なお、視聴完了指標情報は、図１１に示されたように、視聴の速度についての具体的な値を規定するものであっても良いし、図１２（ａ）に示されたように、「レベル」（つまり、視聴の速度を間接的に規定する情報）によって規定されても良い。後者の場合、当該間接的な情報は、図１２（ｂ）に示された情報によって具体的な値に変換される。
【０２１６】
本実施例では、視聴完了指標情報は、「テキスト」「動画」「オーディオ」のそれぞれの形式について設定されている。したがって、嗜好情報において許容される表現形式であれば、新コンテンツには、複数の表現形式の元コンテンツを配置することができる。図１６や図１７に示された新コンテンツの例では、テキスト形式と動画形式の元コンテンツが新コンテンツに含まれたが、新コンテンツには、オーディオ形式の元コンテンツが含まれる場合もあり得る。
【０２１７】
また、図１７を参照して説明したように、新コンテンツに含まれる１つの元コンテンツにおいて２以上の表現形式（たとえば、テキストとオーディオ、テキストと動画、テキストと動画とオーディオ、等）が含まれても良い。
【０２１８】
＜実施例（２）＞
実施例（２）として、図８および図９を参照して説明したＡさんのスケジュールにおける、「通勤時間」のために提供される新コンテンツの作成について、説明する。
【０２１９】
図１０によれば、「通勤時間」について設定された「希望するコンテンツのジャンル」は「ニュース」「政治」「経済」および「スポーツ」である。そこで、図１８に、これらのジャンルの元コンテンツとして提供され得るコンテンツの情報を示す。
【０２２０】
図１８において、（ａ）はジャンル「ニュース」の元コンテンツについての、（ｂ）はジャンル「政治」の元コンテンツについての、（ｃ）はジャンル「経済」の元コンテンツについての、そして、（ｄ）はジャンル「スポーツ」の元コンテンツについての、それぞれの構成を示している。つまり、各ジャンルについて、長さ（情報量）の異なる２以上のコンテンツが、元コンテンツとして提供され得る状態にある。なお、図１８中の「表現１」と「表現２」は、それぞれ、図１３と同様に、テキストコンテンツについての２通りの表現方法のそれぞれを示している。
【０２２１】
図１８に示された元コンテンツの情報と図１１に示されたＡさんの視聴完了指標情報とが利用されることによって、Ａさんの「通勤時間」のために作成されたコンテンツ（コンテンツ（５））の構成の一例を、図１９に示す。
【０２２２】
図１９に示されたコンテンツ（５）では、コンテンツ内通し番号１〜７の元コンテンツが、図９の７時１５分から７時３０分までの行動情報「徒歩で移動」に対応し、また、コンテンツ内通し番号８〜１６の元コンテンツが、図９の７時３０分から８時００分までの行動情報「電車で移動」に対応し、そして、コンテンツ内通し番号１７〜２２の元コンテンツが、図９の８時００分から８時１５分までの行動情報「徒歩で移動」に対応する。
【０２２３】
コンテンツ内通し番号１〜７の元コンテンツの所要時間の合計は、７時１５分から７時３０分までの１５分間に合わせて１５分である。また、コンテンツ内通し番号８〜１６の元コンテンツの所要時間の合計は、７時３０分から８時００分までの３０分間に合わせて３０分である。また、コンテンツ内通し番号１７〜２２の元コンテンツの所要時間の合計は、８時００分から８時１５分までの１５分間に合わせて１５分である。
【０２２４】
コンテンツ内通し番号１〜７とコンテンツ内通し番号１７〜２２の元コンテンツの表現形式は、「オーディオ」のみとされている。これは、図１０の嗜好内容において、通勤時間の「徒歩で移動」の期間の表現形式が「オーディオ形式」と設定されていることに対応する。
【０２２５】
また、コンテンツ内通し番号８〜１６の元コンテンツの表現形式は、「テキスト」のみとされている。これは、図１０の嗜好内容において、通勤時間の「電車で移動」の期間の表現形式が「テキスト形式」と設定されていることに対応する。
【０２２６】
実施例（２）においても、実施例（１）と同様に、新コンテンツは、各元コンテンツについて、ジャンル毎のユーザの視聴完了指標情報に従って各ユーザが視聴に要する時間を予測し、当該予測された時間に従って、元コンテンツを組み合せることによって作成される。
【０２２７】
なお、図１９に示された構成において、オーディオ形式のコンテンツの所要時間は、図１１の視聴完了指標情報のオーディオ形式の情報を利用されて、算出されている。具体的には、オーディオ形式の各コンテンツの所要時間は、図１８に示された各所要時間を図１１の視聴完了指標情報に示された倍速の値で除した値とされている。たとえば、コンテンツ内通し番号７の記事Ｆ４の所要時間の１．００分は、本来の１．１０分（図１８）を、図１１のジャンル「スポーツ」の再生速度１．１（倍速）で除することによって求められた時間である。
【０２２８】
次に、図１８に示された元コンテンツの情報と図１２に示されたＡさんの視聴完了指標情報とが利用されることによって、Ａさんの「通勤時間」のために作成されたコンテンツ（コンテンツ（６））の構成の一例を、図２０に示す。
【０２２９】
図２０に示されたコンテンツ（６）では、コンテンツ内通し番号１〜８の元コンテンツが、図９の７時１５分から７時３０分までの行動情報「徒歩で移動」に対応し、また、コンテンツ内通し番号９〜１７の元コンテンツが、図９の７時３０分から８時００分までの行動情報「電車で移動」に対応し、そして、コンテンツ内通し番号１８〜２４の元コンテンツが、図９の８時００分から８時１５分までの行動情報「徒歩で移動」に対応する。
【０２３０】
コンテンツ内通し番号１〜８の元コンテンツの所要時間の合計は、７時１５分から７時３０分までの１５分間に合わせて１５分である。また、コンテンツ内通し番号９〜１７の元コンテンツの所要時間の合計は、７時３０分から８時００分までの３０分間に合わせて３０分である。また、コンテンツ内通し番号１８〜２４の元コンテンツの所要時間の合計は、８時００分から８時１５分までの１５分間でおさまる１４．８１分である。
【０２３１】
コンテンツ内通し番号１〜８とコンテンツ内通し番号１８〜２４の元コンテンツの表現形式は、「オーディオ」のみとされている。これは、図１０の嗜好内容において、通勤時間の「徒歩で移動」の期間の表現形式が「オーディオ形式」と設定されていることに対応する。
【０２３２】
また、コンテンツ内通し番号９〜１７の元コンテンツの表現形式は、「テキスト」のみとされている。これは、図１０の嗜好内容において、通勤時間の「電車で移動」の期間の表現形式が「テキスト形式」と設定されていることに対応する。
【０２３３】
この例では、視聴完了指標情報に重み付けがなされる。なお、この例では、重み付けは、オーディオ系の元コンテンツについてなされ、たとえば、オーディオ系の元コンテンツに１．１倍の重み付けがなされた視聴完了指標情報が利用される。オーディオ系のコンテンツに１．１倍の重み付けをするということは、視聴完了指標情報に含まれるオーディオ形式の倍速を、重み付けの値をかけて利用するということを意味する。より具体的には、たとえば図１１においてＡさんのニュースのオーディオ形式の倍率は１．０倍である。このとき、１．１倍の重み付けがなされれば、重み付け後の視聴完了指標情報は「１．１倍」となる。
【０２３４】
図２０は、このようなオーディオ形式の元コンテンツに１．１倍の重み付けをした上で生成された新コンテンツの構成例である。
【０２３５】
「ニュース」のオーディオ形式での視聴完了指標情報が上記のように１．１倍とされるので、図２０に示された構成において、記事Ｃ１は、３．００／１．１＝２．７３分となる。
【０２３６】
なお、重み付けの具体的な態様としては、以下の３例が挙げられる。ただし、当該態様はこれらに限定されるものではない。
【０２３７】
・徒歩移動の場合のオーディオ系は１．１倍の重みづけをする
・午前中の通勤時間帯の徒歩移動の場合のオーディオ系は１．１倍の重みづけをする
・新コンテンツの視聴予定日が特定の日または曜日である場合のオーディオ系のみ１．１倍の重みづけをする
図２１に、さらに別の新コンテンツの構成の一例を示す。なお、図２１に示された新コンテンツの構成は、図２０に示された構成に対して、さらに、テキスト形式の元コンテンツについても１．１倍の重みづけがなされている。
【０２３８】
例えば、記事Ｅ１では、ジャンルは「経済」であり、１６５０文字（図１８参照）からなるテキスト文書である。図１１から理解されるように、「経済」の視聴完了指標情報は３００文字／分である。ここで、上記のように、１．１倍の重みづけなされる。これにより、視聴完了指標情報は、３００×１．１＝３３０文字／分として扱われる。これにより、図２１に示された新コンテンツにおける記事Ｅ１についての所要時間は、１６５０／３３０＝５．００分、となる。
【０２３９】
図２１を参照して説明したような、テキスト形式の元コンテンツについても視聴完了指標情報に重み付けをする具体的な態様としては、たとえば以下の２例が挙げられる。ただし、当該態様はこれらに限定されるものではない。
【０２４０】
・午前中の通勤時間帯は全て１．１倍の重みづけをする
・特定の曜日は全て１．１倍の重みづけをする（例えば、月曜日などの休日の翌日は、リフレッシュしてから間もないため、頭がさえているから、１．１倍（１．０倍より多い意倍数）の重みづけができる、など）
＜変形例（元コンテンツの要約態様）＞
以上説明した本実施の形態では、コンテンツ編集部１１０は、ステップＳ６０８（図７参照）において、或る元コンテンツを新コンテンツ内に配置しようとしたときに、当該元コンテンツの全体がステップＳ６０５で算出した所要時間が長すぎて配置できないとき、当該元コンテンツについて予め準備された要約版のコンテンツを新コンテンツに配置させる。なお、新コンテンツの代わりに、外部装置１６に対して当該元コンテンツのうち新コンテンツに配置させる部分の指定を問合せる情報を出力しても良い。
【０２４１】
たとえば、コンテンツ編集部１１０は、元コンテンツが２以上のチャプターで構成されている場合、配置するために許容される最長の時間と、各チャプターの１コマ目の画像と、各チャプターの再生時間とを示す情報とを、たとえばリスト形式で、外部装置１６へ送信する。外部装置１６では、受信した情報に基づいて各チャプターについての情報がリスト表示される画面が表示される。当該画面では、さらに、どのチャプターを新コンテンツに配置される部分に含めるかの指定を求めるメッセージが表示される。
【０２４２】
当該画面を視認したユーザは、許容される最長の時間内に含まれるように、外部装置１６に対して、上記元コンテンツの一部（たとえば、１以上のチャプター）を指定する情報を入力する。
【０２４３】
これに応じて、外部装置１６は、コンテンツ作成装置１００に対して、指定された情報を送信する。
【０２４４】
これに応じて、コンテンツ編集部１１０は、指定された情報を受信する。
そして、ステップＳ６１０では、コンテンツ編集部１１０が、ステップＳ６０３にて抽出した当該ジャンルの視聴完了指標情報を用い、上記コンテンツの、上記受信した指定情報によって指定される部分をユーザが視聴するのに要する時間（所要時間）を算出し、ステップＳ６０６へ処理が戻される。
【０２４５】
このような処理により、コンテンツ編集部１１０は、新コンテンツに元コンテンツの一部を配置させる場合、各元コンテンツのどの部分が配置されたかを特定する情報を取得できる。また、新コンテンツに元コンテンツの全部が配置される場合にも、コンテンツ編集部１１０は、その旨を特定する情報を取得できる。このことから、コンテンツ編集部１１０は、新コンテンツ、または、当該新コンテンツを構成する元コンテンツに貼られたリンクが集められたもの（新コンテンツにおける元コンテンツの配置を示す情報（コンテンツプレイリスト））を、外部装置１６に送信することが好ましい。
【０２４６】
コンテンツ編集部１１０は、上記のように新コンテンツに含まれる「元コンテンツの部分」を特定する情報を取得できるため、コンテンツプレイリストには、元コンテンツごとの、当該部分を特定する情報が含まれる場合もあり得る。
【０２４７】
なお、新コンテンツが２以上の元コンテンツによって構成される場合、当該２以上のコンテンツには、その一部を新コンテンツに配置されるものもあれば、そのすべてを新コンテンツに配置されるものもある。したがって、コンテンツプレイリストにおける元コンテンツを特定する情報には、元コンテンツ中の「部分」を特定する情報や元コンテンツ中の「全部」を特定する情報が含まれる。
【０２４８】
また、コンテンツ配信サーバ２００では、まずコンテツプレイリストをユーザが利用する外部装置１６に送信し、当該ユーザから当該外部装置１６を介して、当該コンテンツプレイリストに対応する新コンテンツの送信を希望する指示を受信したことを条件として、当該外部装置１６に新コンテンツを送信しても良い。これにより、ユーザがコンテンツプレイリストを見て必要としないと判断した新コンテンツが、無駄にユーザの外部装置１６に送信されることを回避できる。
【０２４９】
＜変形例（新コンテンツの価格の決定）＞
本実施の形態では、価格決定部２０４は、作成される新コンテンツの価格を、当該新コンテンツが作成される際に引用された元コンテンツの価格に基づいて、決定する。たとえば、或る新コンテンツが、１０００円のコンテンツ（第１の元コンテンツ）と、５００円のコンテンツ（第２の元コンテンツ）とを組み合わされて作成された例を説明する。当該新コンテンツは、第１の元コンテンツの２０の項目の中の８の項目と、第２の元コンテンツの１０の項目の中の３の項目とから構成される場合、各元コンテンツの価格と引用された割合の積の和、つまり、「１０００円×８／２０」と「５００円×３／１０」の和である５５０円と決定される。このように新コンテンツの価格が決定されることにより、当該価格において、元コンテンツ自体の価格、および、各元コンテンツの新コンテンツにおける寄与度が反映される。
【０２５０】
なお、元コンテンツ間で、予め設定された条件に従って重み付けがされて、新コンテンツの価格が算出されても良い。
【０２５１】
また、元コンテンツ内で、項目ごとに重み付けする情報が登録されている場合、単純に項目の数だけでなく、項目ごとに設定された重み付けの係数を考慮されて、新コンテンツの価格が算出されても良い。
【０２５２】
また、各元コンテンツの、引用された項目の全項目に対する割合の代わりに、引用されたページ数の全ページ数に対する割合に応じて、新コンテンツの価格が算出されても良い。
【０２５３】
＜変形例（視聴完了指標情報の更新）＞
コンテンツ配信サーバ２００のコンテンツ再生状況情報抽出部２０６は、外部装置１６と通信することにより、当該外部装置１６における各ユーザの視聴完了指標情報を作成および／または更新するための情報を取得する。そして、コンテンツ再生状況情報抽出部２０６は、取得した情報を視聴完了指標情報抽出部１０７に送信する。コンテンツ作成装置１００では、視聴完了指標情報抽出部１０７が、各ユーザの視聴完了指標情報を抽出する。当該抽出の具体例を以下に挙げる。
【０２５４】
（１）  情報抽出用の処理の実行
視聴完了指標情報抽出部１０７は、たとえば、外部装置１６に対して、視聴完了指標情報を抽出するためのスクリプトを実行し、その結果に基づいて、視聴完了指標情報の作成および更新を行う。
【０２５５】
外部装置１６からログインしてきたユーザに、各ジャンルの各表現形式（テキスト、オーディオ、動画）の標準的なコンテンツを再生させ、再生開始から再生終了までの時間を計測し、計測された時間に基づいて、当該ユーザについての視聴完了指標情報の作成および更新を行う。
【０２５６】
（２）  新コンテンツの再生と連動した再生速度管理
視聴完了指標情報の更新の方法の一例として、視聴完了指標情報抽出部１０７は、外部装置１６に新コンテンツの再生状態を示す情報を作成させ、作成した情報を送信させ、そして、送信されてきた情報に基づいて、視聴完了指標情報を更新する。
【０２５７】
たとえば、外部装置１６においてテキスト形式のコンテンツが再生されているとき、外部装置１６に対してページめくりの操作を行うタイミングが検出される。そして、ページめくりが行われる時間間隔の平均値と各ページに含まれる文字数から、当該テキスト形式のコンテンツの視聴完了指標情報が作成される。外部装置１６は、当該コンテンツのジャンルを特定する情報とともに、作成された視聴完了指標情報をコンテンツ作成装置１００に送信する。そして、コンテンツ作成装置１００の視聴完了指標情報抽出部１０７は、受信した視聴完了指標情報が、既に視聴完了指標情報蓄積部１０８に視聴完了指標情報との差が特定の値以上であることを条件として、受信した視聴完了指標情報を、新たな視聴完了指標情報として登録する。
【０２５８】
なお、ページめくりが行われる時間間隔の代わりに、単位時間あたりにページめくりが行われる回数や、単位時間あたりにユーザが読む文字数が採用されても良い。単位時間あたりにユーザが読む文字数は、たとえば、外部装置１６において設けられるユーザの視線を検出する機構と外部装置１６において表示される画面内での文字の配置を特定する情報とを利用することにより、検出される。
【０２５９】
また、外部装置１６においてオーディオ形式または動画形式のコンテンツが再生されているとき、外部装置１６において再生が開始時刻および終了時刻と、再生の開始箇所および終了箇所とが、検出される。当該検出結果に基づいて、外部装置１６では、各コンテンツについて、各コンテンツの全編の再生が完了するまでの、当該コンテンツの再生回数が検出される。たとえば、或るコンテンツが、１／３ずつ３回に分けて視聴されたことが検出された場合、当該コンテンツの全編の再生が完了するまでの再生回数は「３」と特定される。そして、外部装置１６は、当該コンテンツについての全編の再生が完了するまでの再生回数「３」という情報を、当該コンテンツを特定する情報とともに、コンテンツ作成装置１００に送信する。
【０２６０】
コンテンツ作成装置１００の視聴完了指標情報抽出部１０７は、ジャンルごとに、受信した上記「再生回数」を蓄積し、その平均値を算出する。視聴完了指標情報抽出部１０７には、当該「再生回数」を図１１等に示された再生速度に変換するためのテーブル等の情報が格納されている。そして、視聴完了指標情報抽出部１０７は、算出した平均値と上記テーブルとに基づいて、再生速度を取得する。そして、取得した再生速度と既に当該ジャンルについて視聴完了指標情報蓄積部１０８に蓄積されている再生速度との差が特定の値以上であることを条件として、視聴完了指標情報蓄積部１０８に新たに取得した再生速度を登録する。
【０２６１】
ここでいうコンテンツの種類は問わない。ジャンルごとの視聴完了指標情報の作成・更新に情報を利用できるコンテンツであれば、元コンテンツ１４単体であってもよいし、すでに作成された新コンテンツ内に配置された各元コンテンツであっても良い。
【０２６２】
視聴完了指標情報を更新のための別の手法としては、オーディオや動画を再生するためのプレイヤについての、再生速度を調整するための情報の収集が挙げられる。視聴完了指標情報抽出部１０７は、外部装置１６から、再生されているコンテンツを特定する情報と、上記のように再生速度を調整するための情報とを収集する。そして、視聴完了指標情報抽出部１０７は、再生されているコンテンツのジャンルと再生速度との情報に基づいて、当該ジャンルについて、視聴完了指標情報蓄積部１０８に新たに取得した再生速度を登録する。
【０２６３】
また、上記プレイヤにこのような速度調整機能が無い場合でも、特定の操作情報（たとえば、「巻戻しをした」という情報）を取得できれば、視聴完了指標情報抽出部１０７は、当該情報に基づいて、視聴完了指標情報蓄積部１０８に登録された情報を更新することができる。具体的には、たとえば上記したように「巻戻しをした」という情報が取得できた場合、視聴完了指標情報抽出部１０７は、再生中のコンテンツが対応するジャンルの視聴完了指標情報を、少し遅くする様に更新する。この場合、ユーザは、当該ジャンルについてのコンテンツを、聞き取れなかったので、もう一度戻って聞いてみた、という事態が想定されるからである。
【０２６４】
（３）  更新の問合せ
外部装置１６を操作する或るユーザからの要求に応じて、または、定期的に、視聴完了指標情報抽出部１０７は、外部装置１６に対して、視聴完了指標情報蓄積部１０８に蓄積されている当該ユーザの視聴完了指標情報を送信する。
【０２６５】
外部装置１６を操作するユーザは、送信されてきた視聴完了指標情報の内容を確認し、修正が必要である場合には、修正するための情報を外部装置１６に入力する。これに応じて、外部装置１６は、コンテンツ作成装置１００に対して、当該修正するための情報を送信する。
【０２６６】
コンテンツ作成装置１００では、視聴完了指標情報抽出部１０７は、送信されてきた情報に従って、視聴完了指標情報蓄積部１０８に蓄積されている視聴完了指標情報を更新する。
【０２６７】
なお、或るユーザについての視聴完了指標情報の更新の権限は、当該ユーザ以外にも与えられる場合があり得る。具体的には、当該ユーザが学校の生徒である場合に当該生徒の先生が、当該生徒の視聴完了指標情報を更新する指示をコンテンツ作成装置１００に対して送信する場合もあり得る。
【０２６８】
＜その他の変形例＞
以上説明したように、本実施の形態では、新コンテンツにおいて配置する元コンテンツの構成は、ユーザごとに蓄積される視聴完了指標情報（図１１等）に基づいて算出される各元コンテンツの所要時間に基づいて、決定される。
【０２６９】
視聴完了指標情報は、少なくともジャンルごとに設定されていれば良い。
異なる表現形式の元コンテンツを組み合わせて新コンテンツを作成する場合には、図１１に示されるように表現形式ごとに設定される。
【０２７０】
なお、視聴完了指標情報は、時間情報に応じて適宜変換される場合がある。変換に利用される情報の一例を、図２２に示す。
【０２７１】
図２２には、午前中と午後とで、ジャンルごとに、視聴完了指標情報内の各値を変換するための係数が設定されている。変換部１１５は、新コンテンツが再生される時間情報に応じて変換された視聴完了指標情報を利用して、新コンテンツを作成する。当該係数は、値が高いほど上記変換後の視聴完了指標情報は視聴の速度が速いことを意味する。
【０２７２】
図２２によれば、ジャンル「ニュース」「政治」「経済」「スポーツ」「小説」「科学」については、午後より午前中の方が値が高い。このことは、これらのジャンルについては、午後より午前中の方が疲労度が低い等の理由により、午前中に再生された方が午後に再生されるより、ユーザが速い再生速度で内容を理解できることを意味している。一方、ジャンル「芸能」「エンタメ」については、午前中より午後の方が値が高い。このことは、これらのジャンルについては、たとえば午前中に家族、友人、同僚等との話題を参考にできる等の理由により、午後に再生された方が午前中に再生されるより、ユーザが速い再生速度で内容を理解できることを意味している。
【０２７３】
また、図１３等を参照して説明されたような、各ジャンルにおける元コンテンツの優先順位についても、時間情報に応じて変更されても良い。
【０２７４】
また、コンテンツ作成装置１００において元コンテンツ入力部１０９を介して入力された元コンテンツのデータは、新コンテンツの作成とともに削除されても良いし、削除されることなくコンテンツ作成装置１００内の記憶装置に蓄積されても良い。
【０２７５】
本実施の形態では、コンテンツ配信サーバ２００のコンテンツ配信部２０５は、コンテンツ作成装置１００によって作成されたユーザごとの新コンテンツを、外部装置１６に送信する。送信先の外部装置１６は、当該ユーザによって指定された装置である。ユーザは、新コンテンツの送信先のアドレスを事前にコンテンツ配信部２０５に登録しておくことが好ましい。
【０２７６】
また、新コンテンツの送信のタイミングとしては、１日ごとにその日のスケジュールに対応するすべての新コンテンツが送信されても良いし、各新コンテンツの再生タイミング（再生開始時刻）に対して所定の時間前に送信されても良い。
【０２７７】
各新コンテンツは、外部装置１６に対して、当該新コンテンツの再生のタイミングを指定する情報（タイマ情報）を備えていても良い。外部装置１６では、当該タイマ情報が参照されることにより、ユーザが再生を指示する操作を行わなくとも、タイマ情報において指定された時刻に、新コンテンツの再生を開始することができる。
【０２７８】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【０２７９】
また、今回開示された実施の形態および実施例に例示された発明は、可能な限り、単独でもしくは組み合わせて実施されることが意図される。
【符号の説明】
【０２８０】
１０  時間情報、１１  行動情報、１２  ユーザ嗜好情報、１３  視聴完了指標情報、１４  元コンテンツ、１５  コンテンツ再生状況情報、１６  外部装置、２０  価格情報、１００  コンテンツ作成装置、１０１  時間情報抽出部、１０２  時間情報蓄積部、１０３  行動情報抽出部、１０４  行動情報蓄積部、１０５  嗜好情報抽出部、１０６  嗜好情報蓄積部、１０７  視聴完了指標情報抽出部、１０８  視聴完了指標情報蓄積部、１０９  元コンテンツ入力部、１１０  コンテンツ編集部、１１１  出力部、１１２  コンテンツ再生状況情報入力部、１１３  視聴完了指標情報更新部、１１４  優先度算出部、１１５  変換部、２００  コンテンツ配信サーバ、２０１  価格情報入力部、２０２  価格情報蓄積部、２０３  コンテンツ蓄積部、２０４  価格決定部、２０５  コンテンツ配信部、２０６  コンテンツ再生状況情報抽出部、３００  コンピュータシステム、３０１  光ディスクドライブ、３０２  磁気ディスクドライブ、３０３  モニタ、３０４  リモコン、３０５  リモコンインターフェース、３０６  ＣＰＵ、３０７  バス、３０８  ＲＯＭ、３０９  ＲＡＭ、３１０  光ディスク、３１１  磁気ディスク、３１２  ハードディスク、３２０  コンピュータ。
【図１】
2013236218.tif 000003
【図２】
2013236218.tif 000004
【図３】
2013236218.tif 000005
【図４】
2013236218.tif 000006
【図５】
2013236218.tif 000007
【図６】
2013236218.tif 000008
【図７】
2013236218.tif 000009
【図８】
2013236218.tif 000010
【図９】
2013236218.tif 000011
【図１０】
2013236218.tif 000012
【図１１】
2013236218.tif 000013
【図１２】
2013236218.tif 000014
【図１３】
2013236218.tif 000015
【図１４】
2013236218.tif 000016
【図１５】
2013236218.tif 000017
【図１６】
2013236218.tif 000018
【図１７】
2013236218.tif 000019
【図１８】
2013236218.tif 000020
【図１９】
2013236218.tif 000021
【図２０】
2013236218.tif 000022
【図２１】
2013236218.tif 000023
【図２２】
2013236218.tif 000024